(57)【要約】  本開示がリモートコントロール方法、装置、プログラム及び記録媒体に関し、機器コントロール分野に属する。前記方法は、ユーザー端末がウェアラブルデバイスがユーザー動作により生成された動作データを取得することと、ユーザー端末が動作データに基づいて家庭用電子機器をコントロールするためのリモートコントロール信号を生成することと、ユーザー端末が家庭用電子機器に家庭用電子機器の動作状態をコントロールするためのリモートコントロール信号を送信することと、を含む。本開示において、関連技術におけるリモートコントロール方法の操作ステップが煩わしい問題を解決して、ユーザーが、ウェアラブルデバイスによってユーザー動作を行うことだけによって、何れの押しボタンを押す必要がなく、家庭用電子機器をリモートコントロールすることができる効果を達成した。【選択図】図２
2017513418.tif 000002
【特許請求の範囲】
【請求項１】
ユーザー端末が、ウェアラブルデバイスがユーザー動作によって生成した動作データを取得することと、
前記ユーザー端末が前記動作データに基づいて家庭用電子機器をコントロールするためのリモートコントロール信号を生成することと、
前記ユーザー端末が前記家庭用電子機器に前記家庭用電子機器の動作状態をコントロールするための前記リモートコントロール信号を送信することと、を含むことを特徴とするリモートコントロール方法。
【請求項２】
前記ユーザー端末が前記動作データに基づいて家庭用電子機器をコントロールするためのリモートコントロール信号を生成することは、
前記ユーザー端末が予め設定された、少なくとも１つの動作データ及び各動作データに対応しているコントロール指令が含まれる対応関係から前記動作データに対応しているコントロール指令を検索することと、
前記ユーザー端末が前記コントロール指令に基づいて前記リモートコントロール信号を生成することと、を含むことを特徴とする請求項１に記載の方法。
【請求項３】
前記ユーザー端末が動作データ及び前記動作データに対応しているコントロール指令を設置するためのコントロール指令設置操作を受信することと、
前記ユーザー端末が前記動作データ及び前記動作データに対応しているコントロール指令に基づいて前記対応関係を生成又は更新することと、をさらに含むことを特徴とする請求項２に記載の方法。
【請求項４】
前記ユーザー端末が前記ウェアラブルデバイスとバインディング関係が予め確立されたことと、をさらに含むことを特徴とする請求項１に記載の方法。
【請求項５】
前記ユーザー端末が前記家庭用電子機器に前記リモートコントロール信号を送信することは、
有線ネットワークによって前記家庭用電子機器に前記リモートコントロール信号を送信すること、又は、
ワイファイネットワークＷＩＦＩによって前記家庭用電子機器に前記リモートコントロール信号を送信すること、又は、
赤外線技術によって前記家庭用電子機器に前記リモートコントロール信号を送信すること、又は、
ブルートゥース技術によって前記家庭用電子機器に前記リモートコントロール信号を送信することを含むことを特徴とする請求項１〜４の何れかに記載の方法。
【請求項６】
ウェアラブルデバイスがユーザー動作により生成された動作データを採集することと、
前記ウェアラブルデバイスが前記動作データに基づいて前記動作データに対応しているコントロール指令を生成することと、
前記ウェアラブルデバイスが前記コントロール指令に基づいて家庭用電子機器に前記家庭用電子機器の動作状態をコントロールするためのリモートコントロール信号を送信することと、を含むことを特徴とするリモートコントロール方法。
【請求項７】
前記ウェアラブルデバイスが前記動作データに基づいて前記動作データに対応しているコントロール指令を生成することは、
前記ウェアラブルデバイスが予め設定された、少なくとも１つの動作データ及び各動作データに対応しているコントロール指令が含まれる対応関係から前記動作データに対応しているコントロール指令を検索することを含むことを特徴とする請求項６に記載の方法。
【請求項８】
前記ウェアラブルデバイスが動作データ及び前記動作データに対応しているコントロール指令を設置するためのコントロール指令設置操作を受信することと、
前記ウェアラブルデバイスが前記動作データ及び前記動作データに対応しているコントロール指令に基づいて前記対応関係を生成又は更新することと、をさらに含むことを特徴とする請求項７に記載の方法。
【請求項９】
前記ウェアラブルデバイスが前記コントロール指令に基づいて家庭用電子機器にリモートコントロール信号を送信することは、
前記ウェアラブルデバイスが前記コントロール指令を、前記コントロール指令に基づいて前記家庭用電子機器をコントロールするためのリモートコントロール信号を生成した後、前記リモートコントロール信号を前記家庭用電子機器に送信するためのユーザーデバイスに送信すること、又は、
前記ウェアラブルデバイスが前記コントロール指令に基づいてワイファイＷＩＦＩ方式のリモートコントロール信号を生成し、ＷＩＦＩネットワークによって前記家庭用電子機器に前記リモートコントロール信号を送信すること、又は、
前記ウェアラブルデバイスが前記コントロール指令に基づいて赤外線方式のリモートコントロール信号を生成し、赤外線技術によって前記家庭用電子機器に前記リモートコントロール信号を送信すること、又は、
前記ウェアラブルデバイスが前記コントロール指令に基づいてブルートゥース方式のリモートコントロール信号を生成し、ブルートゥース技術によって前記家庭用電子機器に前記リモートコントロール信号を送信すること、を含むことを特徴とする請求項６〜８の何れかに記載の方法。
【請求項１０】
前記ウェアラブルデバイスが前記前記家庭用電子機器とバインディング関係が予め確立されたこと、を含むことを特徴とする請求項６〜８の何れかに記載の方法。
【請求項１１】
家庭用電子機器が、ウェアラブルデバイスが採集したユーザー動作により生成された動作データを取得することと、
前記家庭用電子機器が前記動作データに基づいて前記動作データに対応しているコントロール指令を生成することと、
前記家庭用電子機器が前記コントロール指令を実行することと、を含むことを特徴とするリモートコントロール方法。
【請求項１２】
前記家庭用電子機器が前記動作データに基づいて前記動作データに対応しているコントロール指令を生成することは、
前記家庭用電子機器が予め設定された、少なくとも１つの動作データ及び各動作データに対応しているコントロール指令が含まれる対応関係から前記動作データに対応しているコントロール指令を検索することを含むことを特徴とする請求項１１に記載の方法。
【請求項１３】
前記家庭用電子機器が動作データ及び前記動作データに対応しているコントロール指令を設置するためのコントロール指令設置操作を受信することと、
前記家庭用電子機器が前記動作データ及び前記動作データに対応しているコントロール指令に基づいて前記対応関係を生成又は更新することと、をさらに含むことを特徴とする請求項１２に記載の方法。
【請求項１４】
前記家庭用電子機器が、ウェアラブルデバイスが採集したユーザー動作により生成された動作データを取得することは、
前記家庭用電子機器が、前記ウェアラブルデバイスからユーザーデバイスに送信された前記動作データを前記ユーザーデバイスから受信すること、又は、
前記家庭用電子機器がワイファイＷＩＦＩによって前記ウェアラブルデバイスに採集された前記動作データを取得すること、又は、
前記家庭用電子機器が赤外線技術によって前記ウェアラブルデバイスに採集された前記動作データを取得すること、又は、
前記家庭用電子機器がブルートゥース技術によって前記ウェアラブルデバイスに採集された前記動作データを取得すること、を含むことを特徴とする請求項１１〜１３の何れかに記載の方法。
【請求項１５】
前記家庭用電子機器が前記ウェアラブルデバイスとバインディング関係が予め確立されたこと、を含むことを特徴とする請求項１１〜１３の何れかに記載の方法。
【請求項１６】
ユーザーデバイスに適用され、
前記ウェアラブルデバイスがユーザー動作によって生成した動作データを取得するように配置されている第１取得モジュールと、
前記動作データに基づいて前記家庭用電子機器をコントロールするためのリモートコントロール信号を生成するように配置されている第１生成モジュールと、
前記家庭用電子機器に前記家庭用電子機器の動作状態をコントロールするための前記リモートコントロール信号を送信するように配置されている第１コントロールモジュールと、を含むことを特徴とするリモートコントロール装置。
【請求項１７】
前記第１生成モジュールは、
予め設定された、少なくとも１つの動作データ及び各動作データに対応しているコントロール指令が含まれる対応関係から前記動作データに対応しているコントロール指令を検索するように配置されている指令検索サブモジュールと、
前記コントロール指令に基づいて前記家庭用電子機器をコントロールするためのリモートコントロール信号を生成するように配置されている信号生成サブモジュールと、を含むことを特徴とする請求項１６に記載の装置。
【請求項１８】
ユーザー端末が動作データ及び前記動作データに対応しているコントロール指令を設置するためのコントロール指令設置操作を受信するように配置されている第１受信モジュールと、
前記動作データ及び前記動作データに対応しているコントロール指令に基づいて前記対応関係を生成又は更新するように配置されている第１更新モジュールと、をさらに含むことを特徴とする請求項１７に記載の装置。
【請求項１９】
前記ウェアラブルデバイスとバインディング関係が予め確立されたように配置されている第１バインディングモジュールをさらに含むことを特徴とする請求項１７に記載の装置。
【請求項２０】
前記第１コントロールモジュールが有線ネットワークによって前記家庭用電子機器に前記リモートコントロール信号を送信するように配置され、又は、
前記第１コントロールモジュールがワイファイネットワークＷＩＦＩによって前記家庭用電子機器に前記リモートコントロール信号を送信するように配置され、又は、
前記第１コントロールモジュールが赤外線技術によって前記家庭用電子機器に前記リモートコントロール信号を送信するように配置され、又は、
前記第１コントロールモジュールがブルートゥース技術によって前記家庭用電子機器に前記リモートコントロール信号を送信するように配置されていることを特徴とする請求項１６〜１９のいずれか一項に記載の装置。
【請求項２１】
ウェアラブルデバイスに適用され、
ユーザー動作により生成された動作データを採集するように配置されている第２取得モジュールと、
前記動作データに基づいて前記動作データに対応しているコントロール指令を生成するように配置されている第２生成モジュールと、
前記コントロール指令に基づいて家庭用電子機器に前記家庭用電子機器の動作状態をコントロールするためのリモートコントロール信号を送信するように配置されている第２コントロールモジュールと、を含むことを特徴とするリモートコントロール装置。
【請求項２２】
前記第２生成モジュールが予め設定された、少なくとも１つの動作データ及び各動作データに対応しているコントロール指令が含まれる対応関係から前記動作データに対応しているコントロール指令を検索するように配置されていることを特徴とする請求項２１に記載の装置。
【請求項２３】
動作データ及び前記動作データに対応しているコントロール指令を設置するためのコントロール指令設置操作を受信するように配置されている第２受信モジュールと、
前記動作データ及び前記動作データに対応しているコントロール指令に基づいて前記対応関係を生成又は更新するように配置されている第２更新モジュールと、をさらに含むことを特徴とする請求項２２に記載の装置。
【請求項２４】
前記第２コントロールモジュールが前記コントロール指令を、前記コントロール指令に基づいて前記家庭用電子機器をコントロールするためのリモートコントロール信号を生成した後、前記リモートコントロール信号を前記家庭用電子機器に送信するためのユーザーデバイスに送信するように配置され、又は、
前記第２コントロールモジュールが前記コントロール指令に基づいてワイファイＷＩＦＩ方式のリモートコントロール信号を生成し、ＷＩＦＩネットワークによって前記家庭用電子機器に前記リモートコントロール信号を送信するように配置され、又は、
前記第２コントロールモジュールが前記コントロール指令に基づいて赤外線方式のリモートコントロール信号を生成し、赤外線技術によって前記家庭用電子機器に前記リモートコントロール信号を送信するように配置され、又は、
前記第２コントロールモジュールが前記コントロール指令に基づいてブルートゥース方式のリモートコントロール信号を生成し、ブルートゥース技術によって前記家庭用電子機器に前記リモートコントロール信号を送信するように配置されていることを特徴とする請求項２１〜２３の何れかに記載の装置。
【請求項２５】
前記家庭用電子機器とバインディング関係が予め確立されたように配置されている第２バインディングモジュールをさらに含むことを特徴とする請求項２１〜２３の何れかに記載の装置。
【請求項２６】
家庭用電子機器に適用され、
ウェアラブルデバイスが採集したユーザー動作により生成された動作データを取得するように配置されている第２取得モジュールと、
前記動作データに基づいて前記動作データに対応しているコントロール指令を生成するように配置されている第２生成モジュールと、
前記コントロール指令を実行するように配置されている第２コントロールモジュールと、を含むことを特徴とするリモートコントロール装置。
【請求項２７】
前記第２生成モジュールが予め設定された、少なくとも１つの動作データ及び各動作データに対応しているコントロール指令が含まれる対応関係から前記動作データに対応しているコントロール指令を検索するように配置されていることを特徴とする請求項２６に記載の装置。
【請求項２８】
動作データ及び前記動作データに対応しているコントロール指令を設置するためのコントロール指令設置操作を受信するように配置されている第３受信モジュールと、
前記動作データ及び前記動作データに対応しているコントロール指令に基づいて前記対応関係を生成又は更新するように配置されている第３更新モジュールと、をさらに含むことを特徴とする請求項２７に記載の装置。
【請求項２９】
前記第３取得モジュールが、前記ウェアラブルデバイスから前記ユーザーデバイスに送信された前記動作データをユーザーデバイスから受信するように配置され、又は、
前記第３取得モジュールがワイファイＷＩＦＩによって前記ウェアラブルデバイスに採集された前記動作データを取得するように配置され、又は、
前記第３取得モジュールが赤外線技術によって前記ウェアラブルデバイスに採集された前記動作データを取得するように配置され、又は、
前記第３取得モジュールがブルートゥース技術によって前記ウェアラブルデバイスに採集された前記動作データを取得するように配置されていることを特徴とする請求項２６〜２８の何れかに記載の装置。
【請求項３０】
前記ウェアラブルデバイスとバインディング関係が予め確立されたように配置されている第３バインディングモジュールをさらに含むことを特徴とする請求項２６〜２８の何れかに記載の装置。
【請求項３１】
プロセッサと、
プロセッサにより実行可能な指令を記憶するためのメモリとを含み、
前記プロセッサは、
ウェアラブルデバイスがユーザー動作によって生成した動作データを取得し、
前記動作データに基づいて前記家庭用電子機器をコントロールするためのリモートコントロール信号を生成し、
前記家庭用電子機器に前記家庭用電子機器の動作状態をコントロールするための前記リモートコントロール信号を送信するように配置されていることを特徴とするリモートコントロール装置。
【請求項３２】
プロセッサと、
プロセッサにより実行可能な指令を記憶するためのメモリとを含み、
前記プロセッサは、
ユーザー動作により生成された動作データを採集し、
前記動作データに基づいて前記動作データに対応しているコントロール指令を生成し、
前記コントロール指令に基づいて家庭用電子機器に前記家庭用電子機器の動作状態をコントロールするためのリモートコントロール信号を送信するように配置されていることを特徴とするリモートコントロール装置。
【請求項３３】
プロセッサと、
プロセッサにより実行可能な指令を記憶するためのメモリとを含み、
前記プロセッサは、
ウェアラブルデバイスが採集したユーザー動作により生成された動作データを取得し、
前記動作データに基づいて前記動作データに対応しているコントロール指令を生成し、
前記コントロール指令を実行するように配置されていることを特徴とするリモートコントロール装置。
【発明の詳細な説明】
【技術分野】
【０００１】
本開示は、機器コントロール分野に関し、特にリモートコントロール方法及び装置に関する。
【背景技術】
【０００２】
リモコンは、家庭用電子機器の動作状態をコントロールするための電子機器である。
【０００３】
家庭用電子機器の機能が多くなっていくため、リモコンにおける物理的なキーも多くなっていく。ユーザーがリモコンを使用する過程において、リモコンに提供されている数多くの物理的なキーから対応している物理的なキーを見つけて、該物理的なキーを押圧することにより家庭用電子機器の動作状態をコントロールする必要があるので、操作ステップが煩わしい。
【発明の概要】
【０００４】
本発明は、関連技術におけるリモートコントロール方法の操作ステップが煩わしい問題を解決するために、リモートコントロール方法及び装置を提供する。前記技術的な解決手段は、下記のようである。
【０００５】
本開示の第１態様によると、リモートコントロール方法が提供され、該方法は、
ユーザー端末が、ウェアラブルデバイスがユーザー動作によって生成した動作データを取得することと、
ユーザー端末が動作データに基づいて家庭用電子機器をコントロールするためのリモートコントロール信号を生成することと、
ユーザー端末が家庭用電子機器に家庭用電子機器の動作状態をコントロールするためのリモートコントロール信号を送信することと、を含む。
【０００６】
本開示の第２態様によると、リモートコントロール方法が提供され、該方法は、
ウェアラブルデバイスがユーザー動作により生成された動作データを採集することと、
ウェアラブルデバイスが動作データに基づいて動作データに対応しているコントロール指令を生成することと、
ウェアラブルデバイスがコントロール指令に基づいて家庭用電子機器に家庭用電子機器の動作状態をコントロールするためのリモートコントロール信号を送信することと、を含む。
【０００７】
本開示の第３態様によると、リモートコントロール方法が提供され、該方法は、
家庭用電子機器が、ウェアラブルデバイスが採集したユーザー動作により生成された動作データを取得することと、
家庭用電子機器が動作データに基づいて動作データに対応しているコントロール指令を生成することと、
家庭用電子機器がコントロール指令を実行することと、を含む。
【０００８】
本開示の第４態様によると、ユーザーデバイスに適用されるリモートコントロール装置が提供され、該装置は、
ウェアラブルデバイスがユーザー動作によって生成した動作データを取得するように配置されている第１取得モジュールと、
動作データに基づいて家庭用電子機器をコントロールするためのリモートコントロール信号を生成するように配置されている第１生成モジュールと、
家庭用電子機器に家庭用電子機器の動作状態をコントロールするためのリモートコントロール信号を送信するように配置されている第１コントロールモジュールと、を含む。
【０００９】
本開示の第５態様によると、ウェアラブルデバイスに適用されるリモートコントロール装置が提供され、該装置は、
ユーザー動作により生成された動作データを採集するように配置されている第２取得モジュールと、
動作データに基づいて動作データに対応しているコントロール指令を生成するように配置されている第２生成モジュールと、
コントロール指令に基づいて家庭用電子機器にリモートコントロール信号を送信するように配置されている第２コントロールモジュールと、を含む。
【００１０】
本開示の第６態様によると、家庭用電子機器に適用されるリモートコントロール装置が提供され、該装置は、
ウェアラブルデバイスが採集したユーザー動作により生成された動作データを取得するように配置されている第２取得モジュールと、
動作データに基づいて動作データに対応しているコントロール指令を生成するように配置されている第２生成モジュールと、
コントロール指令を実行するように配置されている第２コントロールモジュールと、を含む。
【００１１】
本開示の第７態様によると、リモートコントロール装置が提供され、該装置は、
プロセッサと、
プロセッサにより実行可能な指令を記憶するためのメモリとを含み、
プロセッサが、
ウェアラブルデバイスがユーザー動作によって生成した動作データを取得し、
動作データに基づいて家庭用電子機器をコントロールするためのリモートコントロール信号を生成し、
家庭用電子機器に家庭用電子機器の動作状態をコントロールするためのリモートコントロール信号を送信するように配置されている。
【００１２】
本開示の第８態様によると、リモートコントロール装置が提供され、該装置は、
プロセッサと、
プロセッサにより実行可能な指令を記憶するためのメモリとを含み、
プロセッサが、
ユーザー動作により生成された動作データを採集し、
動作データに基づいて動作データに対応しているコントロール指令を生成し、
コントロール指令に基づいて家庭用電子機器に家庭用電子機器の動作状態をコントロールするためのリモートコントロール信号を送信するように配置されている。
【００１３】
本開示の第９態様によると、リモートコントロール装置が提供され、該装置は、
プロセッサと、
プロセッサにより実行可能な指令を記憶するためのメモリとを含み、
プロセッサが、
ウェアラブルデバイスが採集したユーザー動作により生成された動作データを取得し、
動作データに基づいて動作データに対応しているコントロール指令を生成し、
コントロール指令を実行するように配置されている。
【００１４】
本開示の実施例に提供されている技術的な解決手段は、下記の有益な効果を含む。
【００１５】
ウェアラブルデバイスがユーザー動作により生成された動作データを採集し、その後、該動作データに対応しているコントロール指令に基づいて家庭用電子機器をリモートコントロールすることにより、関連技術におけるリモートコントロール方法の操作ステップが煩わしい問題を解決して、ユーザーが、ウェアラブルデバイスによってユーザー動作を行うことだけによって、何れかのリモートコントロール用キーを押す必要がなく、家庭用電子機器をリモートコントロールすることができる効果を達成した。
【００１６】
以上の一般的な記述と、以下の詳細の記述は、ただ例示的なものであって、本発明を限定するものではないことを理解すべきである。
【図面の簡単な説明】
【００１７】
ここの図面は、明細書に組み入れて本明細書の一部分を構成し、本発明に該当する実施例を例示するとともに、明細書とともに本発明の原理を解釈するために用いられる。
【図１Ａ】１つの例示的な実施例に係る実施の環境の構造概略図である。
【図１Ｂ】１つの例示的な実施例に係る他の実施の環境の構造概略図である。
【図２】１つの例示的な実施例に係るリモートコントロール方法のフローチャートである。
【図３】他の１つの例示的な実施例に係るリモートコントロール方法のフローチャートである。
【図４】図３の実施例に提供されたリモートコントロール方法を実施する時の他の場面の概略図である。
【図５】１つの例示的な実施例に係るリモートコントロール方法のフローチャートである。
【図６】他の１つの例示的な実施例に係るリモートコントロール方法のフローチャートである。
【図７Ａ】図６の実施例に提供されたリモートコントロール方法を実施する時のインタフェースの概略図である。
【図７Ｂ】図６の実施例に提供されたリモートコントロール方法を実施する時の他のインタフェースの概略図である。
【図８】１つの例示的な実施例に係るリモートコントロール方法のフローチャートである。
【図９】他の１つの例示的な実施例に係るリモートコントロール方法のフローチャートである。
【図１０】図９の実施例に提供されたリモートコントロール方法を実施する時の場面の概略図である。
【図１１】１つの例示的な実施例に係るリモートコントロール装置のブロック図である。
【図１２】他の１つの例示的な実施例に係るリモートコントロール装置のブロック図である。
【図１３】１つの例示的な実施例に係るリモートコントロール装置のブロック図である。
【図１４】他の１つの例示的な実施例に係るリモートコントロール装置のブロック図である。
【図１５】１つの例示的な実施例に係るリモートコントロール装置のブロック図である。
【図１６】他の１つの例示的な実施例に係るリモートコントロール装置のブロック図である。
【図１７】１つの例示的な実施例に係るリモートコントロール装置のブロック図である。
【図１８】１つの例示的な実施例に係るリモートコントロール装置のブロック図である。
【図１９】１つの例示的な実施例に係るリモートコントロール装置のブロック図である。
【００１８】
上記の図面によって本開示の明確な実施例が既に示されたが、後文において更なる詳細な説明をさらに行う。これらの図面及び文字説明が如何なる方式で本開示の構想の範囲を制限するためのものではなく、特定な実施例を参照することにより当業者に対して本開示の概念を説明するためのものである。
【発明を実施するための形態】
【００１９】
ここで、図面に示される例示的な実施例について詳細に説明する。以下、図面に関連して説明する際に、特別な説明がない限り、異なる図面での同一符号は、同一または類似な要素を示す。以下の例示的な実施例で記載する実施例は、本発明に一致する全ての実施例を代表するわけではない。かえって、それらは、添付される特許請求の範囲で詳細に記載される本発明の一部の態様に一致する装置、及び方法の例に過ぎない。
【００２０】
図１Ａは、１つの例示的な実施例に係る他の実施の環境の概略図である。該実施の環境は、ウェアラブルデバイス１２０、ユーザーデバイス１３０及び家庭用電子機器１４０を含む。
【００２１】
ウェアラブルデバイス１２０は、スマートブレスレット、スマートグローブ、スマートウォッチ、スマートリング及びスマートクロージング等であってもよい。ウェアラブルデバイス１２０には、通常、例えば、重力加速度センサ、ジャイロセンサなどの各種のセンサが設けられている。ウェアラブルデバイス１２０は、内設センサによってユーザー動作により生成される動作データを採集する能力を持つ。ユーザー動作としては、各種の手振り動作であってもよい。図１Ａにおいてウェアラブルデバイス１２０がスマートブレスレットであることで示されている。
【００２２】
ウェアラブルデバイス１２０は、ブルートゥース技術、ＷＩＦＩ技術等によってユーザーデバイス１４０と接続することが可能である。
【００２３】
ユーザーデバイス１３０は、ウェアラブルデバイス１２０及び家庭用電子機器１４０と通信する能力を同時に持つ電子機器である。ユーザーデバイス１３０がスマートフォン、スマートルーター、タブレットＰＣ、サーバー、家庭用電子機器１４０に付けられているリモコン等であってもよい。図１Ａにおいてユーザーデバイス１３０がスマートフォンであることで示されている。
【００２４】
家庭用電子機器１４０は、スマートテレビ、エアコン、冷蔵庫、洗濯機等であってもよい。図１Ａにおいて、家庭用電子機器１４０がスマートテレビであることで示されている。
【００２５】
図１Ｂは、１つの例示的な実施例に係る実施の環境の概略図である。該実施の環境は、ウェアラブルデバイス１２０と家庭用電子機器１４０とを含む。
【００２６】
ウェアラブルデバイス１２０は、スマートブレスレット、スマートグローブ、スマートウォッチ、スマートリング及びスマートクロージング等であってもよい。ウェアラブルデバイス１２０には、通常、例えば、重力加速度センサ、ジャイロセンサなどの各種のセンサが設けられている。ウェアラブルデバイス１２０は、内設センサによってユーザー動作により生成された動作データを採集する能力を持つ。ユーザー動作は、各種の手振り動作であってもよい。図１Ｂにおいて、ウェアラブルデバイス１２０がスマートブレスレットであることで示されている。
【００２７】
ウェアラブルデバイス１２０は、ブルートゥース技術、ＷＩＦＩ（Ｗｉｒｅｌｅｓｓ  Ｆｉｄｅｌｉｔｙ）技術等で家庭用電子機器１４０と接続することができる。
【００２８】
家庭用電子機器１４０は、テレビ、エアコン、冷蔵庫、洗濯機等であってもよい。図１Ｂにおいて、家庭用電子機器１４０がスマートテレビであることで示されている。
【００２９】
図２は、１つの例示的な実施例に係るリモートコントロール方法のフローチャートである。本実施例において、該リモートコントロール方法が図１Ａ又は図１Ｂに示されているユーザーデバイスに適用されることを例として説明する。該リモートコントロール方法は、ステップ２０１〜ステップ２０３を含む。
【００３０】
ステップ２０１において、ユーザーデバイスが、ウェアラブルデバイスがユーザー動作によって生成した動作データを取得する。
【００３１】
ステップ２０２において、ユーザーデバイスが動作データに基づいて家庭用電子機器をコントロールするためのリモートコントロール信号を生成する。
【００３２】
ステップ２０３において、ユーザーデバイスが家庭用電子機器に家庭用電子機器の動作状態をコントロールするためのリモートコントロール信号を送信する。
【００３３】
上記のように、本実施例に提供されたリモートコントロール方法は、ウェアラブルデバイスがユーザー動作により生成された動作データを採集し、その後、ユーザーデバイスが該動作データに基づいて前記家庭用電子機器をコントロールするためのリモートコントロール信号を生成し、家庭用電子機器にリモートコントロール信号を送信することにより、関連技術におけるリモートコントロール方法の操作ステップが煩わしい問題を解決して、ユーザーが、ウェアラブルデバイスによってユーザー動作を行い、家庭用電子機器をリモートコントロールすることができる効果を達成した。
【００３４】
図３は、他の１つの例示的な実施例に係るリモートコントロール方法のフローチャートである。本実施例において、該リモートコントロール方法が図１Ａ又は図１Ｂに示されているユーザーデバイスに適用されることを例として説明する。該リモートコントロール方法は、ステップ３０１〜ステップ３０７を含む。
【００３５】
ステップ３０１において、ユーザーデバイスがコントロール指令設置操作を受信する。
【００３６】
ユーザーデバイスがユーザーのコントロール指令設置操作を受信する。該コントロール指令設置操作が動作データ及び該動作データに対応しているコントロール指令を設置するためのものである。ここで、動作データは、ユーザー動作がウェアラブルデバイスにおいて生成したセンサデータである。コントロール指令は、家庭用電子機器をコントロールするための指令である。
【００３７】
ユーザーデバイスが、例えば、表示スクリーンを含むスマートフォンのようなユーザインタラクション部品を含む機器である場合、本ステップは、下記のことを含むことができる。
【００３８】
第１、ユーザーデバイスが、ユーザーが少なくとも１つの予め設定されたコントロール指令から目標コントロール指令を選択する選択操作を受信する。
【００３９】
第２、ユーザーデバイスが動作採集メッセージを表示して、ユーザー動作により生成された動作データを採集する。
【００４０】
ユーザーデバイスが例えば、タッチスクリーン及び押しボタンを含まないスマートルーターのようなユーザインタラクション部品を含まない機器である場合、本ステップは、下記のことを含むことができる。
【００４１】
第１、ユーザーデバイスが、例えばユーザーのパーソナルコンピュータである配置端末と接続を確立する。
【００４２】
第２、ユーザーデバイスがユーザーに該配置端末によってトリガーされたコントロール指令設置操作を受信する。
【００４３】
ステップ３０２において、ユーザーデバイスが動作データ及び動作データに対応しているコントロール指令に基づいて対応関係を生成又は更新する。
【００４４】
ユーザーデバイスが動作データとコントロール指令との間の対応関係を記憶していない場合、家庭用電子機器が動作データ及び動作データに対応しているコントロール指令に基づいて対応関係を生成する。
【００４５】
ユーザーデバイスが動作データとコントロール指令との間の対応関係を記憶している場合、家庭用電子機器が該動作データ及び該動作データに対応しているコントロール指令に基づいて対応関係を更新する。
【００４６】
ユーザー動作、動作データ及びコントロール指令の間の例示性の対応関係が下記の表１に示されたようであり、ユーザーデバイスに動作データとコントロール指令との間の対応関係が記憶されればよい。
【００４７】
【表１】
2017513418.tif 000003
上記ステップが選択可能なステップである。つまり、動作データとコントロール指令との間の対応関係がユーザーにて自己定義で設置されてもよいし、生産メーカーにてユーザーデバイスに予め設定されて、ユーザーが直接に使用すればよい。
【００４８】
ステップ３０３において、ウェアラブルデバイスがユーザー動作により生成された動作データを採集する。
【００４９】
ユーザーが家庭用電子機器を使用している過程において、ユーザーが家庭用電子機器をリモートコントロールしようとする場合、ユーザーがウェアラブルデバイスによってユーザー動作を行い、ウェアラブルデバイスが該ユーザー動作により生成された動作データを採集する。
【００５０】
例えば、ユーザーが装着しているスマートブレスレットによってユーザー動作「↓」を行い、ウェアラブルデバイスが該ユーザー動作「↓」に対応している動作データを採集した。
【００５１】
ステップ３０４において、ユーザーデバイスが、ウェアラブルデバイスが採集したユーザー動作により生成された動作データを取得する。
【００５２】
ユーザーデバイスが下記の３種の取得方式のうちの何れか１つを採用して、ウェアラブルデバイスから動作データを取得する。
【００５３】
第１種取得方式：ユーザーデバイスがＷＩＦＩネットワークによってウェアラブルデバイスに採集された動作データを取得する。
【００５４】
第２種取得方式：ユーザーデバイスが赤外線技術によってウェアラブルデバイスに採集された動作データを取得する。
【００５５】
第３種取得方式：ユーザーデバイスがブルートゥース技術によってウェアラブルデバイスに採集された動作データを取得する。
【００５６】
ステップ３０５において、ユーザーデバイスが少なくとも１つの動作データ及び各動作データに対応しているコントロール指令が含まれる予め設定された対応関係から該動作データに対応しているコントロール指令を検索する。
【００５７】
ユーザーデバイスがウェアラブルデバイスに採集された動作データに基づいて、予め設定された対応関係から該動作データに対応しているコントロール指令を検索する。
【００５８】
例えば、ウェアラブルデバイスが該ユーザー動作「↓」に対応している動作データを採集し、ユーザーデバイスが表１に示されている対応関係から、該動作データに対応しているコントロール指令が「音量下げ指令」であることを検索した。
【００５９】
ステップ３０６において、ユーザーデバイスが家庭用電子機器にリモートコントロール信号を送信する。
【００６０】
ユーザーデバイスがコントロール指令に基づいてリモートコントロール信号を生成する。その後、ユーザーデバイスが家庭用電子機器にリモートコントロール信号を送信する。本ステップは、下記の４種の送信方式のうちの何れか１つを採用して実現されることができる。
【００６１】
第１種送信方式：ユーザーデバイスが有線ネットワークによって家庭用電子機器にリモートコントロール信号を送信する。例えば、ユーザーデバイスがスマートルーターであり、該スマートルーターが有線ネットワークによってスマートテレビに接続する場合、スマートルーターが有線ネットワークによってスマートテレビにリモートコントロール信号を送信する。
【００６２】
第２種送信方式：ユーザーデバイスがＷＩＦＩネットワークによって家庭用電子機器にリモートコントロール信号を送信する。例えば、ユーザーデバイスがスマートルーターであり、該スマートルーターがＷＩＦＩネットワークによってスマートテレビに接続する場合、スマートルーターがＷＩＦＩネットワークによってスマートテレビにリモートコントロール信号を送信する。
【００６３】
第３種送信方式：ユーザーデバイスが赤外線技術によって家庭用電子機器にリモートコントロール信号を送信する。例えば、ユーザーデバイスが赤外線リモートコントロール機能を有するスマートフォンである場合、スマートフォンが赤外線技術によって家庭用電子機器にリモートコントロール信号を送信する。
【００６４】
第４種送信方式：ユーザーデバイスがブルートゥース技術によって家庭用電子機器にリモートコントロール信号を送信する。例えば、ユーザーデバイスがブルートゥース機能を有するスマートフォンであり、該スマートフォンがブルートゥース技術によってスマートテレビに接続する場合、スマートフォンがブルートゥース技術によって家庭用電子機器にリモートコントロール信号を送信することができる。
【００６５】
対応的に、家庭用電子機器が該リモートコントロール信号を受信する。
【００６６】
ステップ３０７において、家庭用電子機器が該コントロール指令を実行する。
【００６７】
例えば、家庭用電子機器が「音量下げ指令」を実行する。
【００６８】
上記のように、本実施例に提供されたリモートコントロール方法は、ウェアラブルデバイスがユーザー動作により生成された動作データを採集し、その後、ユーザーデバイスが該動作データに基づいて前記家庭用電子機器をコントロールするためのリモートコントロール信号を生成して、家庭用電子機器にリモートコントロール信号を送信することにより、関連技術におけるリモートコントロール方法の操作ステップが煩わしい問題を解決して、ユーザーが、ウェアラブルデバイスによってユーザー動作を行うことだけによって、何れかのリモートコントロール用押しボタンを押す必要がなく、家庭用電子機器をリモートコントロールすることができる効果を達成した。
【００６９】
本実施例に提供されたリモートコントロール方法は、ユーザーが動作データとコントロール指令との間の対応関係を自己定義することにより、ユーザーが自己定義されたユーザー動作によって家庭用電子機器をリモートコントロールすることができる効果も実現した。
【００７０】
図４を参照すると、1つの例示的な実施例において、ユーザーの家においてＷＩＦＩ技術にサポートされたスマートテレビ４２０とスマートルーター４４０とが配置されて、ユーザーがさらにスマートブレスレット４６０も使用している。該スマートルーター４４０が予め配置されることにより、ユーザー手振りがスマートブレスレット４６０でトリガーした動作データとスマートテレビ４２０のコントロール指令とを対応して記憶している。ユーザーがスマートテレビ４２０をリモートコントロールする必要がある時に、１つのユーザー手振り、例えば、図４に示された上昇する手振りをすることができる。スマートブレスレット４６０が該ユーザーの手振りに生成された動作データをスマートルーター４４０に送信し、そして、スマートルーター４４０が該動作データに対応しているコントロール指令を検索し、その後、ＷＩＦＩネットワークによって該コントロール指令をスマートテレビ４２０に送信して、該スマートテレビ４２０が相応して音量を上げる。この種の実現場面において、スマートテレビ４２０及びスマートブレスレット４６０が自体に有するべき機能だけを有すれば、機能上の改善をする必要がなく、スマートルーター４４０側において相応した機能を増加すればよい。従って、該実施例は、良好な適用性を有し、もちろん、スマートルーター４４０がユーザーのスマートフォン、タブレットＰＣ等で代替されてもよい。
【００７１】
図５は、１つの例示的な実施例に係るリモートコントロール方法のフローチャートである。本実施例において、該リモートコントロール方法が図１Ａ又は図１Ｂに示されているウェアラブルデバイスに適用されることを例として説明する。該リモートコントロール方法は、ステップ５０１〜ステップ５０３を含む。
【００７２】
ステップ５０１において、ウェアラブルデバイスがユーザー動作により生成された動作データを採集する。
【００７３】
ステップ５０２において、ウェアラブルデバイスが動作データに基づいて動作データに対応しているコントロール指令を生成する。
【００７４】
ステップ５０３において、ウェアラブルデバイスがコントロール指令に基づいて家庭用電子機器に家庭用電子機器の動作状態をコントロールするためのリモートコントロール信号を送信する。
【００７５】
上記のように、本実施例に提供されたリモートコントロール方法は、ウェアラブルデバイスがユーザー動作により生成された動作データを採集し、その後、該動作データに対応しているコントロール指令に基づいて家庭用電子機器をリモートコントロールすることにより、関連技術におけるリモートコントロール方法の操作ステップが煩わしい問題を解決して、ユーザーが、ウェアラブルデバイスによってユーザー動作を行うことだけによって、何れかのリモートコントロール用押しボタンを押す必要がなく、家庭用電子機器をリモートコントロールすることができる効果を達成した。
【００７６】
図６は、他の１つの例示的な実施例に係るリモートコントロール方法のフローチャートである。本実施例において、該リモートコントロール方法が図１Ａ又は図１Ｂに示されている実施の環境に適用されることを例として説明する。該リモートコントロール方法は、ステップ６０１〜ステップ６０６を含む。
【００７７】
ステップ６０１において、ウェアラブルデバイスがコントロール指令設置操作を受信する。
【００７８】
ウェアラブルデバイスがユーザーのコントロール指令設置操作を受信する。該コントロール指令設置操作が動作データ及び該動作データに対応しているコントロール指令を設置するためのものである。ここで、動作データは、ユーザー動作がウェアラブルデバイスにおいて生成したセンサデータである。コントロール指令は、家庭用電子機器をコントロールするための指令である。
【００７９】
ウェアラブルデバイスが例えば、タッチスクリーンを含むスマートウォッチのようなユーザインタラクション部品を含むウェアラブルデバイスである場合、本ステップは、下記のことを含むことができる。
【００８０】
第１、ウェアラブルデバイスが、ユーザーが少なくとも１つの予め設定されたコントロール指令から目標コントロール指令を選択する選択操作を受信する。
【００８１】
第２、ウェアラブルデバイスが動作採集メッセージを表示して、ユーザー動作により生成された動作データを採集する。
【００８２】
図７Ａを参照すると、ウェアラブルデバイスがスマートウォッチであり、家庭用電子機器がスマートテレビであることを例として、ユーザーがスマートウォッチ７１において「テレビチャンネルを切替える」コントロール指令を目標コントロール指令として選択する。その後、スマートウォッチ７１において「１０秒内に貴方の手振りを入力してください」という動作採集メッセージ７２を表示し、その後、ユーザーが自己定義された手振りを行い、スマートウォッチ７１が該手振りに生成されたセンサデータを動作データとして採集する。
【００８３】
ウェアラブルデバイスが例えば、タッチスクリーン及び押しボタンを含まないスマートブレスレットのようなユーザインタラクション部品を含まないウェアラブルデバイスである場合、本ステップは、下記のことを含むことができる。
【００８４】
第１、ウェアラブルデバイスが、例えばユーザーのパーソナルコンピュータである配置端末と接続を確立する。
【００８５】
第２、ウェアラブルデバイスが、ユーザーが該配置端末によってトリガーしたコントロール指令設置操作を受信する。
【００８６】
図７Ｂを参照すると、ウェアラブルデバイスがスマートブレスレットであり、配置端末がユーザーのパーソナルコンピュータであることを例として、ユーザーがパーソナルコンピュータ７３において「テレビチャンネルを切替える」コントロール指令を目標コントロール指令として選択する。その後、パーソナルコンピュータ７３が「１０秒内に貴方の手振りを入力してください」という動作採集メッセージ７４を表示して、その後、ユーザーが自己定義された手振りを行い、スマートブレスレット７５が該手振りに生成されたセンサデータを動作データとして採集する。
【００８７】
ステップ６０２において、ウェアラブルデバイスが動作データ及び動作データに対応しているコントロール指令に基づいて対応関係を生成又は更新する。
【００８８】
ウェアラブルデバイスが動作データとコントロール指令との間の対応関係を記憶していない場合、ウェアラブルデバイスが動作データ及び動作データに対応しているコントロール指令に基づいて対応関係を生成する。
【００８９】
ウェアラブルデバイスが動作データとコントロール指令との間の対応関係を記憶している場合、ウェアラブルデバイスが該動作データ及び該動作データに対応しているコントロール指令に基づいて対応関係を更新する。
【００９０】
ユーザー動作、動作データ及びコントロール指令の間の例示された対応関係は、下記の表２に示されるようであり、ウェアラブルデバイスには動作データとコントロール指令との間の対応関係が記憶されればよい。
【００９１】
【表２】
2017513418.tif 000004
上記ステップが選択可能なステップである。つまり、動作データとコントロール指令との間の対応関係がユーザーにて自己定義で設置されてもよいし、生産メーカーにてウェアラブルデバイスに予め設定されて、ユーザーが直接に使用してもよい。
【００９２】
ステップ６０３において、ウェアラブルデバイスがユーザー動作により生成された動作データを採集する。
【００９３】
ユーザーが家庭用電子機器を使用している過程において、ユーザーが家庭用電子機器をリモートコントロールしようとする場合、ユーザーがウェアラブルデバイスによってユーザー動作を行い、ウェアラブルデバイスが該ユーザー動作により生成された動作データを採集する。
【００９４】
例えば、ユーザーが装着しているスマートブレスレットによってユーザー動作「↑」を行い、ウェアラブルデバイスが該ユーザー動作「↑」に対応している動作データを採集した。
【００９５】
ステップ６０４において、ウェアラブルデバイスが少なくとも１つの動作データ及び各動作データに対応しているコントロール指令が含まれる予め設定された対応関係から該動作データに対応しているコントロール指令を検索する。
【００９６】
ウェアラブルデバイスが採集された動作データに基づいて、予め設定された対応関係から該動作データに対応しているコントロール指令を検索する。
【００９７】
例えば、ウェアラブルデバイスが該ユーザー動作「↑」に対応している動作データを採集し、表１に示されている対応関係から、該動作データに対応しているコントロール指令が「音量上げ指令」であることを検索した。
【００９８】
ステップ６０５において、ウェアラブルデバイスがコントロール指令に基づいて家庭用電子機器にリモートコントロール信号を送信する。
【００９９】
ウェアラブルデバイスがコントロール指令に基づいて家庭用電子機器にリモートコントロール信号を送信する。
【０１００】
本ステップは、下記の幾つかの実現方式のうちの何れか１種を採用して実現することができる。
【０１０１】
第１種方式：ウェアラブルデバイスがコントロール指令をユーザーデバイスに送信し、該ユーザーデバイスがコントロール指令に基づいて家庭用電子機器をコントロールするためのリモートコントロール信号を生成した後、リモートコントロール信号を家庭用電子機器に送信するように用いられる。言い換えれば、ユーザーデバイス側に対し、ユーザーデバイスが、ウェアラブルデバイスが採集したユーザー動作により生成された動作データを取得する。該動作データが、ウェアラブルデバイスがユーザー動作により生成された動作データを採集した後に検索された該動作データに対応しているコントロール指令である時に、ユーザーデバイスが該コントロール指令に基づいて家庭用電子機器をコントロールするためのリモートコントロール信号を生成した後、リモートコントロール信号を家庭用電子機器に送信する。
【０１０２】
第２種方式：ウェアラブルデバイスがコントロール指令に基づいてＷＩＦＩ方式のリモートコントロール信号を生成し、ＷＩＦＩネットワークによって家庭用電子機器にリモートコントロール信号を送信する。
【０１０３】
第３種方式：ウェアラブルデバイスがコントロール指令に基づいて赤外線方式のリモートコントロール信号を生成し、赤外線技術によって家庭用電子機器にリモートコントロール信号を送信する。
【０１０４】
第４種方式：ウェアラブルデバイスがコントロール指令に基づいてブルートゥース方式のリモートコントロール信号を生成し、ブルートゥース技術によって家庭用電子機器にリモートコントロール信号を送信する。
【０１０５】
ステップ６０６において、家庭用電子機器が該リモートコントロール信号に対応しているコントロール指令を実行する。
【０１０６】
家庭用電子機器がリモートコントロール信号からコントロール指令を解析して、その後、該コントロール指令を実行する。
【０１０７】
上記のように、本実施例に提供されたリモートコントロール方法は、ウェアラブルデバイスがユーザー動作により生成された動作データを採集して、その後、該動作データに対応しているコントロール指令に基づいて家庭用電子機器をリモートコントロールすることにより、関連技術におけるリモートコントロール方法の操作ステップが煩わしい問題を解決して、ユーザーが、ウェアラブルデバイスによってユーザー動作を行うことだけによって、何れかのリモートコントロール用キーを押す必要がなく、家庭用電子機器をリモートコントロールすることができる効果を達成した。
【０１０８】
本実施例に提供されたリモートコントロール方法は、ユーザーが動作データとコントロール指令との間の対応関係を自己定義することにより、ユーザーが自己定義されたユーザー動作によって家庭用電子機器をリモートコントロールすることができる効果も実現した。
【０１０９】
可能な実施の形態として、上記の動作データとコントロール指令との間の対応関係が家庭用電子機器側に記憶されてもよい。
【０１１０】
図８は、１つの例示的な実施例に係るリモートコントロール方法のフローチャートである。本実施例において、該リモートコントロール方法が図１Ａ又は図１Ｂに示された家庭用電子機器に適用されることを例として説明する。該リモートコントロール方法は、ステップ８０１〜ステップ８０３を含む。
【０１１１】
ステップ８０１において、家庭用電子機器が、ウェアラブルデバイスが採集したユーザー動作により生成された動作データを取得する。
【０１１２】
ステップ８０２において、家庭用電子機器が動作データに基づいて動作データに対応しているコントロール指令を生成する。
【０１１３】
ステップ８０３において、家庭用電子機器が該コントロール指令を実行する。
【０１１４】
上記のように、本実施例に提供されたリモートコントロール方法は、ウェアラブルデバイスがユーザー動作により生成された動作データを採集し、その後、家庭用電子機器が該動作データに基づいて対応しているコントロール指令を生成するとともに実行することにより、関連技術におけるリモートコントロール方法の操作ステップが煩わしい問題を解決して、ユーザーが、ウェアラブルデバイスによってユーザー動作を行うことだけによって、何れかのリモートコントロール用キーを押す必要がなく、家庭用電子機器をリモートコントロールすることができる効果を達成した。
【０１１５】
図９は、他の１つの例示的な実施例に係るリモートコントロール方法のフローチャートである。本実施例において、該リモートコントロール方法が図１Ａ又は図１Ｂに示された家庭用電子機器に適用されることを例として説明する。該リモートコントロール方法は、ステップ９０１〜ステップ９０６を含む。
【０１１６】
ステップ９０１において、家庭用電子機器がコントロール指令設置操作を受信する。
【０１１７】
家庭用電子機器がユーザーのコントロール指令設置操作を受信する。該コントロール指令設置操作が動作データ及び該動作データに対応しているコントロール指令を設置するためのものである。ここで、動作データは、ユーザー動作がウェアラブルデバイスにおいて生成したセンサデータである。コントロール指令は、家庭用電子機器をコントロールするための指令である。
【０１１８】
家庭用電子機器が例えば、表示スクリーンを含むスマートテレビのようなユーザインタラクション部品を含む機器である場合、本ステップが下記のことを含むことができる。
【０１１９】
第１、家庭用電子機器が、ユーザーが少なくとも１つの予め設定されたコントロール指令から目標コントロール指令を選択する選択操作を受信する。
【０１２０】
第２、家庭用電子機器が動作採集メッセージを表示して、ユーザー動作により生成された動作データを採集する。
【０１２１】
図１０を参照すると、ウェアラブルデバイスがスマートウォッチであり、家庭用電子機器がスマートテレビであることを例として、ユーザーがスマートテレビ１０１において「テレビチャンネルを切替える」コントロール指令を目標コントロール指令として選択する。その後、スマートテレビ１０１には「１０秒内に貴方の手振りを入力してください」という動作採集メッセージ１０２が表示され、その後、ユーザーが自己定義された手振りを行い、スマートウォッチ１０３が該手振りに生成されたセンサデータを動作データとして採集するとともに、スマートテレビ１０１に送信する。
【０１２２】
家庭用電子機器が例えば、タッチスクリーン及び押しボタンを含まないスマート電球のようなユーザインタラクション部品を含まない機器である場合、本ステップが下記のことを含むことができる。
【０１２３】
第１、家庭用電子機器が、例えばユーザーのパーソナルコンピュータである配置端末と接続を確立する。
【０１２４】
第２、家庭用電子機器が、ユーザーが該配置端末によってトリガーしたコントロール指令設置操作を受信する。
【０１２５】
ステップ９０２において、家庭用電子機器が動作データ及び動作データに対応しているコントロール指令に基づいて対応関係を生成又は更新する。
【０１２６】
家庭用電子機器が動作データとコントロール指令との間の対応関係を記憶していない場合、家庭用電子機器が動作データ及び動作データに対応しているコントロール指令に基づいて対応関係を生成する。
【０１２７】
家庭用電子機器が動作データとコントロール指令との間の対応関係を記憶している場合、家庭用電子機器が該動作データ及び該動作データに対応しているコントロール指令に基づいて対応関係を更新する。
【０１２８】
ユーザー動作、動作データ及びコントロール指令の間の例示された対応関係が下記の表１に示されたようであり、家庭用電子機器には動作データとコントロール指令との間の対応関係が記憶されればよい。
【０１２９】
上記ステップが選択可能なステップである。つまり、動作データとコントロール指令との間の対応関係がユーザーにて自己定義で設置されてもよいし、生産メーカーにて家庭用電子機器に予め設定されて、ユーザーが直接に使用してもよい。
【０１３０】
ステップ９０３において、ウェアラブルデバイスがユーザー動作により生成された動作データを採集する。
【０１３１】
ユーザーが家庭用電子機器を使用している過程において、ユーザーが家庭用電子機器をリモートコントロールしようとする場合、ユーザーがウェアラブルデバイスによってユーザー動作を行い、ウェアラブルデバイスが該ユーザー動作により生成された動作データを採集する。
【０１３２】
例えば、ユーザーが装着しているスマートブレスレットによってユーザー動作「↑」を行い、ウェアラブルデバイスが該ユーザー動作「↑」に対応している動作データを採集した。
【０１３３】
ステップ９０４において、家庭用電子機器が、ウェアラブルデバイスが採集したユーザー動作により生成された動作データを取得する。
【０１３４】
家庭用電子機器がウェアラブルデバイスと直接に通信する能力を持てば、家庭用電子機器が、ウェアラブルデバイスが採集したユーザー動作により生成された動作データを直接に取得する。家庭用電子機器が下記の３種の方式のうちの何れか１種の取得方式を採用することができる。
【０１３５】
第１種取得方式：家庭用電子機器がＷＩＦＩネットワークによってウェアラブルデバイスに採集された動作データを取得する。
【０１３６】
第２種の取得方式：家庭用電子機器が赤外線技術によってウェアラブルデバイスに採集された動作データを取得する。
【０１３７】
第３種の取得方式：家庭用電子機器がブルートゥース技術によってウェアラブルデバイスに採集された動作データを取得する。
【０１３８】
家庭用電子機器がウェアラブルデバイスと直接に通信する能力を持たなければ、家庭用電子機器がユーザーデバイスによって、ウェアラブルデバイスが採集したユーザー動作により生成された動作データを取得する。つまり、家庭用電子機器がユーザーデバイスに送信された動作データを受信し、該動作データがウェアラブルデバイスからユーザーデバイスに送信されたものである。
【０１３９】
ステップ９０５において、家庭用電子機器が少なくとも１つの動作データ及び各動作データに対応しているコントロール指令が含まれる予め設定された対応関係から該動作データに対応しているコントロール指令を検索する。
【０１４０】
家庭用電子機器がウェアラブルデバイスに採集された動作データに基づいて、予め設定された対応関係から該動作データに対応しているコントロール指令を検索する。
【０１４１】
例えば、ウェアラブルデバイスが該ユーザー動作「↑」に対応している動作データを採集した後、家庭用電子機器が表１に示されている対応関係から該動作データに対応しているコントロール指令が「音量上げ指令」であることを検索した。
【０１４２】
ステップ９０６において、家庭用電子機器が該コントロール指令を実行する。
【０１４３】
例えば、家庭用電子機器が「音量上げ指令」を実行する。
【０１４４】
上記のように、本実施例に提供されたリモートコントロール方法は、ウェアラブルデバイスがユーザー動作により生成された動作データを採集し、その後、家庭用電子機器が該動作データに基づいて対応しているコントロール指令を生成するとともに実行することにより、関連技術におけるリモートコントロール方法の操作ステップが煩わしい問題を解決して、ユーザーが、ウェアラブルデバイスによってユーザー動作を行うことだけによって、何れかのリモートコントロール用キーを押す必要がなく、家庭用電子機器をリモートコントロールすることができる効果を達成した。
【０１４５】
本実施例に提供されたリモートコントロール方法は、ユーザーが動作データとコントロール指令との間の対応関係を自己定義することにより、ユーザーが自己定義されたユーザー動作によって家庭用電子機器をリモートコントロールすることができる効果も実現した。
【０１４６】
図１Ａに示された実施の環境において、ウェアラブルデバイスとユーザーデバイスとの間はバインディング関係を予め確立してよく、ユーザーデバイスと家庭用電子機器との間もバインディング関係を確立してよい。ユーザーデバイスがバインディングされたウェアラブルデバイスの動作データだけを受信し、家庭用電子機器がバインディングされたユーザーデバイスのリモートコントロール信号だけを受信する。
【０１４７】
本開示実施例において、ウェアラブルデバイスとユーザーデバイスとをバインディングすることは、下記の４種のケースのうちの何れか１種を含む。
【０１４８】
第１種ケース：ユーザーデバイスがウェアラブルデバイスのウェアラブルデバイス用マークを取得するとともに、自体とバインディングする。該ウェアラブルデバイス用マークがウェアラブルデバイスの外表面に粘着している二次元コードであってもよく、ユーザーデバイスが二次元コードをスキャンすることによって該ウェアラブルデバイス用マークを取得する。
【０１４９】
第２種ケース：ウェアラブルデバイスがサーバー（図１Ａ及び図１Ｂにおいて示されていない。）にウェアラブルデバイス用マーク及びユーザーアカウントを送信するとともに、ユーザーデバイスもサーバーにユーザーデバイス用マーク及びユーザーアカウントを送信して、サーバーがウェアラブルデバイス用マーク、ユーザーデバイス用マーク及びユーザーアカウントによって、ウェアラブルデバイス、ユーザーデバイス及びユーザーアカウントをバインディングする。
【０１５０】
第３種ケース：ウェアラブルデバイスがバインディングされた中継端末を介してサーバーにウェアラブルデバイス用マーク及びユーザーアカウントを送信するとともに、ユーザーデバイスもサーバーにユーザーデバイス用マーク及びユーザーアカウントを送信し、サーバーがウェアラブルデバイス用マーク、ユーザーデバイス用マーク及びユーザーアカウントによって、ウェアラブルデバイス、ユーザーデバイス及びユーザーアカウントをバインディングする。
【０１５１】
第４種ケース：ウェアラブルデバイスがユーザーデバイスによってサーバーにウェアラブルデバイス用マーク及びユーザーアカウントを送信するとともに、ユーザーデバイスもサーバーにユーザーデバイス用マーク及びユーザーアカウントを送信し、サーバーがウェアラブルデバイス用マーク、ユーザーデバイス用マーク及びユーザーアカウントによって、ウェアラブルデバイス、ユーザーデバイス及びユーザーアカウントをバインディングする。
【０１５２】
本開示の実施例において、ユーザーデバイスと家庭用電子機器とをバインディングすることは、下記の４種のケースのうちの何れか１種を含む。
【０１５３】
第１種ケース：ユーザーデバイスが家庭用電子機器の家庭用電子機器用マークを取得するとともに、自体とバインディングする。該家庭用電子機器用マークが家庭用電子機器の外表面に粘着している二次元コードであってもよく、ユーザーデバイスが二次元コードをスキャンすることにより該家庭用電子機器用マークを取得する。例えば、ユーザーデバイスがスマートフォンであり、家庭用電子機器がエアコンである。
【０１５４】
第２種ケース：家庭用電子機器がユーザーデバイスの家庭用電子機器用マークを取得するとともに、自体とバインディングする。該ユーザーデバイス用マークがユーザーデバイスの外表面に粘着している二次元コードであってもよく、家庭用電子機器が二次元コードをスキャンすることにより該ユーザーデバイス用マークを取得する。例えば、家庭用電子機器がスマートテレビであり、ユーザーデバイスがスマートルーターである。
【０１５５】
第３種ケース：家庭用電子機器がサーバーに家庭用電子機器用マーク及びユーザーアカウントを送信するとともに、ユーザーデバイスもサーバーにユーザーデバイス用マーク及びユーザーアカウントを送信し、サーバーが家庭用電子機器用マーク、ユーザーデバイス用マーク及びユーザーアカウントによって、家庭用電子機器、ユーザーデバイス及びユーザーアカウントをバインディングする。
【０１５６】
第４種ケース：家庭用電子機器がユーザーデバイスによってサーバーに家庭用電子機器用マーク及びユーザーアカウントを送信するとともに、ユーザーデバイスもサーバーにユーザーデバイス用マーク及びユーザーアカウントを送信し、サーバーが家庭用電子機器用マーク、ユーザーデバイス用マーク及びユーザーアカウントによって、家庭用電子機器、ユーザーデバイス及びユーザーアカウントをバインディングする。
【０１５７】
さらに説明する必要があり、図１Ｂに示されている実施の環境において、ウェアラブルデバイスと家庭用電子機器との間は、バインディング関係を予め確立してもよい。家庭用電子機器がバインディングされたウェアラブルデバイスのリモートコントロール信号だけを受信する。
【０１５８】
本開示実施例において、ウェアラブルデバイスと家庭用電子機器とをバインディングすることが下記の４種のケースのうちの何れか１種を含む。
【０１５９】
第１種ケース：家庭用電子機器がウェアラブルデバイスのウェアラブルデバイス用マークを取得するとともに、自体とバインディングする。該ウェアラブルデバイス用マークがウェアラブルデバイスの外表面に粘着している二次元コードであってもよく、家庭用電子機器が二次元コードをスキャンすることにより該ウェアラブルデバイス用マークを取得する。
【０１６０】
第２種ケース：ウェアラブルデバイスがサーバーにウェアラブルデバイス用マーク及びユーザーアカウントを送信するとともに、家庭用電子機器もサーバーに家庭用電子機器用マーク及びユーザーアカウントを送信し、サーバーがウェアラブルデバイス用マーク、家庭用電子機器用マーク及びユーザーアカウントによって、ウェアラブルデバイス、家庭用電子機器及びユーザーアカウントをバインディングする。
【０１６１】
第３種ケース：ウェアラブルデバイスがバインディングされた中継端末によってサーバーにウェアラブルデバイス用マーク及びユーザーアカウントを送信するとともに、家庭用電子機器もサーバーに家庭用電子機器用マーク及びユーザーアカウントを送信し、サーバーがウェアラブルデバイス用マーク、家庭用電子機器用マーク及びユーザーアカウントによって、ウェアラブルデバイス、家庭用電子機器及びユーザーアカウントをバインディングする。
【０１６２】
第４種ケース：ウェアラブルデバイスが家庭用電子機器によってサーバーにウェアラブルデバイス用マーク及びユーザーアカウントを送信するとともに、家庭用電子機器もサーバーに家庭用電子機器用マーク及びユーザーアカウントを送信し、サーバーがウェアラブルデバイス用マーク、家庭用電子機器用マーク及びユーザーアカウントによって、ウェアラブルデバイス、家庭用電子機器及びユーザーアカウントをバインディングする。
【０１６３】
上記の４種のケースにおいて、ウェアラブルデバイス用マークが１つのウェアラブルデバイスを唯一にマークするためのものであり、家庭用電子機器用マークが１つの家庭用電子機器を唯一にマークするためのものであり、ウェアラブルデバイスがサーバーに送信するユーザーアカウントと家庭用電子機器がサーバーに送信するユーザーアカウントとが同じであってもよい。
【０１６４】
下記は、本開示の装置の実施例であり、本開示の方法の実施例を実行できるものである。本開示の装置の実施例において記載されていない細かい点について、本開示の方法の実施例を参照してよい。
【０１６５】
図１１は、１つの例示的な実施例に係るリモートコントロール装置のブロック図である。該リモートコントロール装置がソフトウェア、ハードウェア又は両者の組み合わせによってユーザーデバイスの一部又は全部として実現でき、ユーザーデバイスがウェアラブルデバイス及び家庭用電子機器と通信する能力を持つ。該リモートコントロール装置は、
ウェアラブルデバイスがユーザー動作によって生成した動作データを取得するように配置されている第１取得モジュール１１２０と、
動作データに基づいて家庭用電子機器をコントロールするためのリモートコントロール信号を生成するように配置されている第１生成モジュール１１４０と、
家庭用電子機器に家庭用電子機器の動作状態をコントロールするためのリモートコントロール信号を送信するように配置されている第１コントロールモジュール１１６０と、を含むことができる。
【０１６６】
上記のように、本実施例に提供されたリモートコントロール装置は、ウェアラブルデバイスがユーザー動作により生成された動作データを採集し、その後、ユーザーデバイスが該動作データに基づいて前記家庭用電子機器をコントロールするためのリモートコントロール信号を生成し、家庭用電子機器にリモートコントロール信号を送信することにより、関連技術におけるリモートコントロール方法の操作ステップが煩わしい問題を解決して、ユーザーが、ウェアラブルデバイスによってユーザー動作を行うことだけによって、家庭用電子機器をリモートコントロールすることができる効果を達成した。
【０１６７】
図１２は、他の１つの例示的な実施例に係るリモートコントロール装置のブロック図である。該リモートコントロール装置がソフトウェア、ハードウェア又は両者の組み合わせによってユーザーデバイスの一部又は全部として実現でき、ユーザーデバイスがウェアラブルデバイス及び家庭用電子機器と通信する能力を持つ。該リモートコントロール装置は、
ウェアラブルデバイスがユーザー動作によって生成した動作データを取得するように配置されている第１取得モジュール１１２０と、
動作データに基づいて家庭用電子機器をコントロールするためのリモートコントロール信号を生成するように配置されている第１生成モジュール１１４０と、
家庭用電子機器に家庭用電子機器の動作状態をコントロールするためのリモートコントロール信号を送信するように配置されている第１コントロールモジュール１１６０と、を含むことができる。
【０１６８】
好ましくは、第１生成モジュール１１４０は、
予め設定された、少なくとも１つの動作データ及び各動作データに対応しているコントロール指令が含まれる対応関係から動作データに対応しているコントロール指令を検索するように配置されている指令検索サブモジュール１１４２と、
コントロール指令に基づいて家庭用電子機器をコントロールするためのリモートコントロール信号を生成するように配置されている信号生成サブモジュール１１４４と、を含む。
【０１６９】
好ましくは、該装置は、
ユーザー端末が動作データ及び動作データに対応しているコントロール指令を設置するためのコントロール指令設置操作を受信するように配置されている第１受信モジュール１１３２と、
動作データ及び動作データに対応しているコントロール指令に基づいて対応関係を生成又は更新するように配置されている第１更新モジュール１１３４と、をさらに含む。
【０１７０】
好ましくは、該装置は、
ウェアラブルデバイスとバインディング関係が予め確立されたように配置されている第１バインディングモジュール１１１０をさらに含む。
【０１７１】
好ましくは、第１コントロールモジュール１１６０が、有線ネットワークによって家庭用電子機器にリモートコントロール信号を送信するように配置され、又は、
第１コントロールモジュール１１６０が、ワイファイネットワークＷＩＦＩによって家庭用電子機器にリモートコントロール信号を送信するように配置され、又は、
第１コントロールモジュール１１６０が、赤外線技術によって家庭用電子機器にリモートコントロール信号を送信するように配置され、
又は、
第１コントロールモジュール１１６０が、ブルートゥース技術によって家庭用電子機器にリモートコントロール信号を送信するように配置されている。
【０１７２】
上記のように、本実施例に提供されたリモートコントロール装置は、ウェアラブルデバイスがユーザー動作により生成された動作データを採集し、その後、ユーザーデバイスが該動作データに基づいて前記家庭用電子機器をコントロールするためのリモートコントロール信号を生成し、家庭用電子機器にリモートコントロール信号を送信することにより、関連技術におけるリモートコントロール方法の操作ステップが煩わしい問題を解決して、ユーザーが、ウェアラブルデバイスによってユーザー動作を行うことだけによって、何れかのリモートコントロール用キーを押す必要がなく、家庭用電子機器をリモートコントロールすることができる効果を達成した。
【０１７３】
本実施例に提供されたリモートコントロール装置は、ユーザーにて動作データとコントロール指令との間の対応関係を自己定義することにより、ユーザーが自己定義されたユーザー動作によって家庭用電子機器をリモートコントロールすることができる効果をさらに実現した。
【０１７４】
図１３は、１つの例示的な実施例に係るリモートコントロール装置のブロック図である。該リモートコントロール装置がソフトウェア、ハードウェア又は両者の組み合わせによってウェアラブルデバイスの一部又は全部として実現できる。該リモートコントロール装置は、
ユーザー動作により生成された動作データを採集するように配置されている第２取得モジュール１３２０と、
該動作データに基づいて該動作データに対応しているコントロール指令を生成するように配置されている第２生成モジュール１３４０と、
該コントロール指令に基づいて家庭用電子機器にリモートコントロール信号を送信するように配置されている第２コントロールモジュール１３６０と、を含むことができる。
【０１７５】
上記のように、本実施例に提供されたリモートコントロール装置は、ウェアラブルデバイスがユーザー動作により生成された動作データを採集し、その後、該動作データに対応しているコントロール指令に基づいて家庭用電子機器をリモートコントロールすることにより、関連技術におけるリモートコントロール方法の操作ステップが煩わしい問題を解決して、ユーザーが、ウェアラブルデバイスによってユーザー動作を行うことだけによって、家庭用電子機器をリモートコントロールすることができる効果を達成した。
【０１７６】
図１４は、他の１つの例示的な実施例に係るリモートコントロール装置のブロック図である。該リモートコントロール装置がソフトウェア、ハードウェア又は両者の組み合わせによってウェアラブルデバイスの一部又は全部として実現できる。該リモートコントロール装置は、
ユーザー動作により生成された動作データを採集するように配置されている第２取得モジュール１３２０と、
該動作データに基づいて該動作データに対応しているコントロール指令を生成するように配置されている第２生成モジュール１３４０と、
該コントロール指令に基づいて家庭用電子機器に家庭用電子機器の動作状態をコントロールするためのリモートコントロール信号を送信するように配置されている第２コントロールモジュール１３６０と、を含むことができる。
【０１７７】
好ましくは、第２生成モジュール１３４０は、予め設定された、少なくとも１つの動作データ及び各動作データに対応しているコントロール指令が含まれる対応関係から動作データに対応しているコントロール指令を検索するように配置されている。
【０１７８】
好ましくは、該装置は、
動作データ及び動作データに対応しているコントロール指令を設置するためのコントロール指令設置操作を受信するように配置されている第２受信モジュール１３２２と、
動作データ及び動作データに対応しているコントロール指令に基づいて対応関係を生成又は更新するように配置されている第２更新モジュール１３２４と、をさらに含む。
【０１７９】
好ましくは、
第２コントロールモジュール１３６０が、コントロール指令を、コントロール指令に基づいて家庭用電子機器をコントロールするためのリモートコントロール信号を生成した後、リモートコントロール信号を家庭用電子機器に送信するためのユーザーデバイスに送信するように配置され、又は、
第２コントロールモジュール１３６０が、コントロール指令に基づいてワイファイネットワークＷＩＦＩ方式のリモートコントロール信号を生成し、ＷＩＦＩネットワークによって家庭用電子機器にリモートコントロール信号を送信するように配置され、又は、
第２コントロールモジュール１３６０が、コントロール指令に基づいて赤外線方式のリモートコントロール信号を生成し、赤外線技術によって家庭用電子機器にリモートコントロール信号を送信するように配置され、又は、
第２コントロールモジュール１３６０が、コントロール指令に基づいてブルートゥース方式のリモートコントロール信号を生成し、ブルートゥース技術によって家庭用電子機器にリモートコントロール信号を送信するように配置されている。
【０１８０】
好ましくは、該装置は、
家庭用電子機器とバインディング関係が予め確立されたように配置されている第２バインディングモジュール１３２６をさらに含む。
【０１８１】
上記のように、本実施例に提供されたリモートコントロール装置は、ウェアラブルデバイスがユーザー動作により生成された動作データを採集し、その後、該動作データに対応しているコントロール指令に基づいて家庭用電子機器をリモートコントロールすることにより、関連技術におけるリモートコントロール方法の操作ステップが煩わしい問題を解決して、ユーザーが、ウェアラブルデバイスによってユーザー動作を行うことだけによって、何れかのリモートコントロール用押しボタンを押す必要がなく、家庭用電子機器をリモートコントロールすることができる効果を達成した。
【０１８２】
本実施例に提供されたリモートコントロール装置は、ユーザーにて動作データとコントロール指令との間の対応関係を自己定義することにより、ユーザーが自己定義されたユーザー動作によって家庭用電子機器をリモートコントロールすることができる効果を実現した。
【０１８３】
図１５は、１つの例示的な実施例に係るリモートコントロール装置のブロック図である。該リモートコントロール装置がソフトウェア、ハードウェア又は両者の組み合わせによって家庭用電子機器の一部又は全部として実現できる。該リモートコントロール装置は、
ウェアラブルデバイスが採集したユーザー動作により生成された動作データを取得するように配置されている第３取得モジュール１５２０と、
該動作データに基づいて該動作データに対応しているコントロール指令を生成するように配置されている第３生成モジュール１５４０と、
コントロール指令を実行するように配置されている第３コントロールモジュール１５６０と、を含むことができる。
【０１８４】
上記のように、本実施例に提供されたリモートコントロール装置は、ウェアラブルデバイスがユーザー動作により生成された動作データを採集し、その後、家庭用電子機器が該動作データに基づいて対応しているコントロール指令を生成するとともに実行することにより、関連技術におけるリモートコントロール方法の操作ステップが煩わしい問題を解決して、ユーザーが、ウェアラブルデバイスによってユーザー動作を行うことだけによって、何れかのリモートコントロール押しボタンを押す必要がなく、家庭用電子機器をリモートコントロールすることができる効果を達成した。
【０１８５】
図１６は、１つの例示的な実施例に係るリモートコントロール装置のブロック図である。該リモートコントロール装置がソフトウェア、ハードウェア又は両者の組み合わせによって家庭用電子機器の一部又は全部として実現できる。該リモートコントロール装置は、
ウェアラブルデバイスが採集したユーザー動作により生成された動作データを取得するように配置されている第３取得モジュール１５２０と、
該動作データに基づいて該動作データに対応しているコントロール指令を生成するように配置されている第３生成モジュール１５４０と、
コントロール指令を実行するように配置されている第３コントロールモジュール１５６０と、を含むことができる。
【０１８６】
好ましくは、第３生成モジュール１５４０が、予め設定された、少なくとも１つの動作データ及び各動作データに対応しているコントロール指令が含まれる対応関係から動作データに対応しているコントロール指令を検索するように配置されている。
【０１８７】
好ましくは、該装置は、
動作データ及び動作データに対応しているコントロール指令を設置するためのコントロール指令設置操作を受信するように配置されている第３受信モジュール１５１２と、
該動作データ及び該動作データに対応しているコントロール指令に基づいて該対応関係を生成又は更新するように配置されている第３更新モジュール１５１４と、をさらに含む。
【０１８８】
好ましくは、第３取得モジュール１５２０が、ウェアラブルデバイスからユーザーデバイスに送信される動作データをユーザーデバイスから受信するように配置され、又は、
第３取得モジュール１５２０が、ワイファイＷＩＦＩによってウェアラブルデバイスに採集された動作データを取得するように配置され、又は、
第３取得モジュール１５２０が、赤外線技術によってウェアラブルデバイスに採集された動作データを取得するように配置され、又は、
第３取得モジュール１５２０が、ブルートゥース技術によってウェアラブルデバイスに採集された動作データを取得するように配置されている。
【０１８９】
好ましくは、該装置は、
ウェアラブルデバイスとバインディング関係が予め確立されたように配置されている第３バインディングモジュール１５１６をさらに含む。
【０１９０】
上記のように、本実施例に提供されたリモートコントロール装置は、ウェアラブルデバイスがユーザー動作により生成された動作データを採集し、その後、家庭用電子機器が該動作データに基づいて対応しているコントロール指令を生成するとともに実行することにより、関連技術におけるリモートコントロール方法の操作ステップが煩わしい問題を解決して、ユーザーが、ウェアラブルデバイスによってユーザー動作を行うことだけによって、何れかのリモートコントロール押しボタンを押す必要がなく、家庭用電子機器をリモートコントロールすることができる効果を達成した。
【０１９１】
本実施例に提供されたリモートコントロール装置は、ユーザーにて動作データとコントロール指令との間の対応関係を自己定義することにより、ユーザーが自己定義されたユーザー動作によって家庭用電子機器をリモートコントロールすることができる効果も実現した。
【０１９２】
上記実施例における装置に関し、そのうちの各モジュールが操作を実行する具体的な形態は、該方法に関する実施例において既に詳細に説明したので、ここで詳細に説明しない。
【０１９３】
図１７は、１つの例示的な実施例に係る健康データ表示のための装置１７００のブロック図である。例えば、装置１７００は、例えば、スマートブレスレット、スマートウォッチなどのようなウェアラブルデバイスであってもよい。
【０１９４】
図１７を参照すると、装置１７００は、プロセスアセンブリ１７０１、メモリ１７０２、無線通信アセンブリ１７０３、及びセンサアセンブリ１７０４のような１つ或いは複数のアセンブリを含んでもよい。
【０１９５】
プロセスアセンブリ１７０１は、一般的に、装置１７００の全体の操作を制御するものであり、例えば、ユーザーの健康データの採集、健康データの送信、サーバーへの健康データのアップロード等と関連する操作を制御する。プロセスアセンブリ１７０１は、１つ以上のプロセッサ１７１７を含み、これらによって指令を実行することにより、上記の方法の全部、或は一部のステップを実現するようにしてもよい。なお、プロセスアセンブリ１７０１は、１つ以上のモジュールを含んでプロセスアセンブリ１７０１と他のアセンブリの間のインタラクションを容易にしてもよい。例えば、プロセスアセンブリ１７０１は、無線通信モジュールを含んで無線通信アセンブリ１７０３とプロセスアセンブリ１７０１の間のインタラクションを容易にしてもよい。
【０１９６】
メモリ１７０２は、各種類のデータを記憶することにより装置１７００の動作を支援するように構成される。これらのデータの例は、装置１７００において操作されるいずれのアプリケーションプログラム又は方法の指令、健康データ、タイムデータ、位置データ、手振り等を含む。メモリ１７０２は、いずれかの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｏｒｙ）、磁気メモリ、フラッシュメモリ、磁気ディスク、或いは光ディスクである。
【０１９７】
無線通信アセンブリ１７０３は、装置１７００と他の機器との間に無線方式の通信を提供する。装置１７００は、ＷｉＦｉ、ブルートゥース、赤外線のような、通信規格に基づいた無線ネットワークに接続されてもよいが、これらに限らない。1つの例示的な実施例において、無線通信アセンブリ１７０３が、ウェアラブルデバイスに採集された健康データを家庭用メディア放送機器に送信して、家庭用メディア放送機器がこれを表示する。１つの例示的な実施例において、上記無線通信アセンブリ１７０３は、近距離無線通信（ＮＦＣ）モジュールをさらに含むことにより、近距離通信をプッシュする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ）技術、及び他の技術に基づいて実現できる。
【０１９８】
センサアセンブリ１７０４は、装置１７００に各方面の状態に対する評価を提供するとともにユーザーの健康データを採集するための１つ以上のセンサを含む。例えば、センサアセンブリ１７０４は、装置１７００のＯＮ／ＯＦＦ状態、アセンブリの相対的な位置決めを検出できる。また、センサアセンブリ１７０４は、装置１７００、或いは装置１７００の１つのアセンブリの位置変更、ユーザと装置１７００とが接触しているか否か、装置１７００の方位、又は加速／減速、装置１７００の温度の変化を検出できる。センサアセンブリ１７０４は、何れの物理的接触がない状態にて付近の物体の存在を検出するための近接センサを含んでもよい。センサアセンブリ１７０４がユーザーの健康データを採集するための健康データセンサを含んでもよい。センサアセンブリ１７０４がユーザーの手振りを採集するための手振りセンサを含んでもよい。一部の実施例において、該センサアセンブリ１７０４は、加速度センサ、ジャイロセンサ、磁気センサ、圧力センサ、温度センサ、歩数計、心拍センサ、デジタルコンパスセンサなどのセンサをさらに含んでもよい。
【０１９９】
例示的な実施例において、装置１７００は、１つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記のウェアラブルデバイス側のリモートコントロール方法を実行する。
【０２００】
例示的な実施例において、指令を含むコンピュータ読取り可能な非一時的な記録媒体、例えば指令を含むメモリ１７０２をさらに提供し、装置１７００のプロセッサ１７１７により上記指令を実行して上記方法を実現する。例えば、上記コンピュータ読取り可能な非一時的な記録媒体は、ＲＯＭ、ＲＡＭ、ＣＤ−ＲＯＭ、磁気テープ、フロッピーディスク、光データ記憶デバイス等である。
【０２０１】
コンピュータ読取り可能な非一時的な記録媒体は、記録媒体における指令が装置１７００のプロセッサにより実行されるとき、装置１７００が上記ウェアラブルデバイス側のリモートコントロール方法を実行できるようになる。
【０２０２】
図１８は、１つの例示的な実施例に係るリモートコントロール装置１８００のブロック図である。例えば、装置１８００が、例えば、携帯電話、コンピュータ、タブレットデバイス、ルーター、ＰＤＡなどのユーザーデバイスであっても良い。
【０２０３】
図１８を参照すると、装置１８００は、プロセスアセンブリ１８０２、メモリ１８０４、電源アセンブリ１８０６、マルチメディアアセンブリ１８０８、オーディオアセンブリ１８１０、入出力（Ｉ／Ｏ）インタフェース１８１２、センサアセンブリ１８１４、及び通信アセンブリ１８１６のような１つ或いは複数のアセンブリを含んでもよい。
【０２０４】
プロセスアセンブリ１８０２は、一般的には装置１８００の全体の動作を制御するものであり、例えば、表示、電話呼び出し、データ通信、カメラ操作、及び記録操作と関連する操作を制御する。プロセスアセンブリ１８０２は、１つ以上のプロセッサ１８２０を含み、これらによって指令を実行することにより、上記の方法の全部、或は一部のステップを実現するようにしてもよい。なお、プロセスアセンブリ１８０２は、１つ以上のモジュールを含んでプロセスアセンブリ１８０２と他のアセンブリの間のインタラクションを容易にしてもよい。例えば、プロセスアセンブリ１８０２は、マルチメディアモジュールを含んでマルチメディアアセンブリ１８０８とプロセスアセンブリ１８０２の間のインタラクションを容易にしてもよい。
【０２０５】
メモリ１８０４は、各種類のデータを記憶することにより装置１８００の動作を支援するように構成される。これらのデータの例は、装置１８００において操作されるいずれのアプリケーションプログラム又は方法の指令、連絡対象データ、電話帳データ、メッセージ、画像、ビデオ等を含む。メモリ１８０４は、いずれかの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｏｒｙ）、磁気メモリ、フラッシュメモリ、磁気ディスク、或いは光ディスクである。
【０２０６】
電源アセンブリ１８０６は、装置１８００の各アセンブリに電力を供給する。電源アセンブリ１８０６は、電源管理システム、１つ或いは複数の電源、及び装置１８００のための電力の生成、管理、及び割り当てに関連する他のアセンブリを含んでもよい。
【０２０７】
マルチメディアアセンブリ１８０８は、上記装置１８００とユーザの間に１つの出力インタフェースを提供するスクリーンを含む。部分実施例において、スクリーンは、液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは、１つ以上のタッチセンサを含み、タッチ、スライド、及びタッチパネル上のジェスチャを検出することができる。上記タッチセンサは、タッチ、或はスライド動作の境界だけでなく、上記タッチ、或はスライド操作に係る継続時間、及び圧力も検出できる。部分実施例において、マルチメディアアセンブリ１８０８は、１つのフロントカメラ、及び／又はリアカメラを含む。装置１８００が、例えば撮影モード、或はビデオモード等の操作モードにある場合、フロントカメラ、及び／又はリアカメラは外部からマルチメディアデータを受信できる。フロントカメラとリアカメラのそれぞれは、１つの固定型の光レンズ系、或は可変焦点距離と光学ズーム機能を有するものであってもよい。
【０２０８】
オーディオアセンブリ１８１０は、オーディオ信号を入出力するように構成される。例えば、オーディオアセンブリ１８１０は、１つのマイク（ＭＩＣ）を含み、装置１８００が、例えば呼出しモード、記録モード、及び音声認識モード等の操作モードにある場合、マイクは外部のオーディオ信号を受信することができる。受信されたオーディオ信号は、さらにメモリ１８０４に記憶されたり、通信アセンブリ１８１６を介して送信されたりする。部分実施例において、オーディオアセンブリ１８１０は、オーディオ信号を出力するための１つのスピーカーをさらに含む。
【０２０９】
Ｉ／Ｏインタフェース１８１２は、プロセスアセンブリ１８０２と周辺インタフェースモジュールの間にインタフェースを提供するものであり、上記周辺インタフェースモジュールは、キーボード、クリックホイール、ボタン等であってもよい。これらのボタンは、ホームボタン、ボリュームボタン、起動ボタン、ロッキングボタンを含んでもよいが、これらに限定されない。
【０２１０】
センサアセンブリ１８１４は、装置１８００に各方面の状態に対する評価を提供するための１つ以上のセンサを含む。例えば、センサアセンブリ１８１４は、装置１８００のＯＮ／ＯＦＦ状態、装置１８００のディスプレイとキーパッドのようなアセンブリの相対的な位置決めを検出できる。また、センサアセンブリ１８１４は、装置１８００、或いは装置１８００の１つのアセンブリの位置変更、ユーザと装置１８００とが接触しているか否か、装置１８００の方位、又は加速／減速、装置１８００の温度の変化を検出できる。センサアセンブリ１８１４は、何れの物理的接触がない状態にて付近の物体の存在を検出するための近接センサを含んでもよい。センサアセンブリ１８１４は、撮影アプリケーションに適用するため、ＣＭＯＳ、又はＣＣＤ画像センサのような光センサを含んでもよい。部分実施例において、当該センサアセンブリ１８１４は、加速度センサ、ジャイロスコープセンサ、磁気センサ、圧力センサ、及び温度センサをさらに含んでもよい。
【０２１１】
通信アセンブリ１８１６は、装置１８００と他の機器の間に有線、又は無線方式の通信を提供する。装置１８００は、例えばＷｉＦｉ、２Ｇ、３Ｇ、或はこれらの組み合わせのような、通信規格に基づいた無線ネットワークに接続されてもよい。１つの例示的な実施例において、通信アセンブリ１８１６は、放送チャンネルを介して外部の放送管理システムからの放送信号、又は放送に関連する情報を受信する。１つの例示的な実施例において、上記通信アセンブリ１８１６は、近距離無線通信（ＮＦＣ）モジュールをさらに含むことにより、近距離通信をプッシュする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ）技術、及び他の技術に基づいて実現できる。
【０２１２】
例示的な実施例において、装置１８００は、１つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記ユーザデバイス側のリモートコントロール方法を実行する。
【０２１３】
例示的な実施例において、指令を含むコンピュータ読取り可能な非一時的な記録媒体、例えば指令を含むメモリ１８０４をさらに提供し、装置１８００のプロセッサ１９２０により上記指令を実行して上記方法を実現する。例えば、上記コンピュータ読取り可能な非一時的な記録媒体は、ＲＯＭ、ＲＡＭ、ＣＤ−ＲＯＭ、磁気テープ、フロッピーディスク、光データ記憶デバイス等である。
【０２１４】
コンピュータ読取り可能な非一時的な記録媒体は、記録媒体における指令が装置１８００のプロセッサにより実行されるとき、装置１８００が上記ユーザデバイス側のリモートコントロール方法を実行できる。
【０２１５】
図１９は、１つの例示的な実施例に係るリモートコントロール装置１９００のブロック図である。例如、装置１９００が、例えば、スマートテレビ、エアコン、洗濯機、冷蔵庫等のような家庭用電子機器であってもよい。
【０２１６】
図１９を参照すると、装置１９００は、プロセスアセンブリ１９０２、メモリ１９０４、電源アセンブリ１９０６、マルチメディアアセンブリ１９０８、オーディオアセンブリ１９１０、入出力（Ｉ／Ｏ）インタフェース１９１２、センサアセンブリ１９１４、及び通信アセンブリ１９１６のような１つ或いは複数のアセンブリを含んでもよい。
【０２１７】
プロセスアセンブリ１９０２は、一般的には装置１９００の全体の動作を制御するものであり、例えば、表示、電話呼び出し、データ通信、カメラ操作、及び記録操作と関連する操作を制御する。プロセスアセンブリ１９０２は、１つ以上のプロセッサ１９２０を含み、これらによって指令を実行することにより、上記の方法の全部、或は一部のステップを実現するようにしてもよい。なお、プロセスアセンブリ１９０２は、１つ以上のモジュールを含んでプロセスアセンブリ１９０２と他のアセンブリの間のインタラクションを容易にしてもよい。例えば、プロセスアセンブリ１９０２は、マルチメディアモジュールを含んでマルチメディアアセンブリ１９０８とプロセスアセンブリ１９０２の間のインタラクションを容易にしてもよい。
【０２１８】
メモリ１９０４は、各種類のデータを記憶することにより装置１９００の動作を支援するように構成される。これらのデータの例は、装置１９００において操作されるいずれのアプリケーションプログラム又は方法の指令、連絡対象データ、電話帳データ、メッセージ、画像、ビデオ等を含む。メモリ１９０４は、いずれかの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｏｒｙ）、磁気メモリ、フラッシュメモリ、磁気ディスク、或いは光ディスクである。
【０２１９】
電源アセンブリ１９０６は、装置１９００の各アセンブリに電力を供給する。電源アセンブリ１９０６は、電源管理システム、１つ或いは複数の電源、及び装置１９００のための電力の生成、管理、及び割り当てに関連する他のアセンブリを含んでもよい。
【０２２０】
マルチメディアアセンブリ１９０８は、上記装置１９００とユーザの間に１つの出力インタフェースを提供するスクリーンを含む。部分実施例において、スクリーンは、液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは、１つ以上のタッチセンサを含み、タッチ、スライド、及びタッチパネル上のジェスチャを検出することができる。上記タッチセンサは、タッチ、或はスライド動作の境界だけでなく、上記タッチ、或はスライド操作に係る継続時間、及び圧力も検出できる。部分実施例において、マルチメディアアセンブリ１９０８は、１つのフロントカメラ、及び／又はリアカメラを含む。装置１９００が、例えば撮影モード、或はビデオモード等の操作モードにある場合、フロントカメラ、及び／又はリアカメラは外部からマルチメディアデータを受信できる。フロントカメラとリアカメラのそれぞれは、１つの固定型の光レンズ系、或は可変焦点距離と光学ズーム機能を有するものであってもよい。
【０２２１】
オーディオアセンブリ１９１０は、オーディオ信号を入出力するように構成される。例えば、オーディオアセンブリ１９１０は、１つのマイク（ＭＩＣ）を含み、装置１９００が、例えば呼出しモード、記録モード、及び音声認識モード等の操作モードにある場合、マイクは外部のオーディオ信号を受信することができる。受信されたオーディオ信号は、さらにメモリ１９０４に記憶されたり、通信アセンブリ１９１６を介して送信されたりする。部分実施例において、オーディオアセンブリ１９１０は、オーディオ信号を出力するための１つのスピーカーをさらに含む。
【０２２２】
Ｉ／Ｏインタフェース１９１２は、プロセスアセンブリ１９０２と周辺インタフェースモジュールの間にインタフェースを提供するものであり、上記周辺インタフェースモジュールは、キーボード、クリックホイール、ボタン等であってもよい。これらのボタンは、ホームボタン、ボリュームボタン、起動ボタン、ロッキングボタンを含んでもよいが、これらに限定されない。
【０２２３】
センサアセンブリ１９１４は、装置１９００に各方面の状態に対する評価を提供するための１つ以上のセンサを含む。例えば、センサアセンブリ１９１４は、装置１９００のＯＮ／ＯＦＦ状態、装置１９００のディスプレイとキーパッドのようなアセンブリの相対的な位置決めを検出できる。また、センサアセンブリ７１４は、装置１９００、或いは装置１９００の１つのアセンブリの位置変更、ユーザと装置１９００とが接触しているか否か、装置１９００の方位、又は加速／減速、装置１９００の温度の変化を検出できる。センサアセンブリ１９１４は、何れの物理的接触がない状態にて付近の物体の存在を検出するための近接センサを含んでもよい。センサアセンブリ１９１４は、撮影アプリケーションに適用するため、ＣＭＯＳ、又はＣＣＤ画像センサのような光センサを含んでもよい。部分実施例において、当該センサアセンブリ１９１４は、加速度センサ、ジャイロスコープセンサ、磁気センサ、圧力センサ、及び温度センサをさらに含んでもよい。
【０２２４】
通信アセンブリ１９１６は、装置１９００と他の機器の間に有線、又は無線方式の通信を提供する。装置１９００は、例えばＷｉＦｉ、２Ｇ、３Ｇ、或はこれらの組み合わせのような、通信規格に基づいた無線ネットワークに接続されてもよい。１つの例示的な実施例において、通信アセンブリ１９１６は、放送チャンネルを介して外部の放送管理システムからの放送信号、又は放送に関連する情報を受信する。１つの例示的な実施例において、上記通信アセンブリ１９１６は、近距離無線通信（ＮＦＣ）モジュールをさらに含むことにより、近距離通信をプッシュする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ）技術、及び他の技術に基づいて実現できる。
【０２２５】
例示的な実施例において、装置１９００は、１つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記家庭用電子機器側のリモートコントロール方法を実行する。
【０２２６】
例示的な実施例において、指令を含むコンピュータ読取り可能な非一時的な記録媒体、例えば指令を含むメモリ１９０４をさらに提供し、装置１９００のプロセッサ１９２０により上記指令を実行して上記方法を実現する。例えば、上記コンピュータ読取り可能な非一時的な記録媒体は、ＲＯＭ、ＲＡＭ、ＣＤ−ＲＯＭ、磁気テープ、フロッピーディスク、光データ記憶デバイス等である。
【０２２７】
コンピュータ読取り可能な非一時的な記録媒体は、記録媒体における指令が装置１９００のプロセッサにより実行されるとき、装置１９００が上記家庭用電子機器側のリモートコントロール方法を実行できる。
【０２２８】
当業者は、明細書に対する理解、及び明細書に記載された発明に対する実施を通じて、本発明の他の実施形態を容易に得ることができる。本発明は、本発明に対する任意の変形、用途、または適応的な変化を含み、このような変形、用途、または適応的な変化は、本発明の一般的な原理に従い、本発明では開示していない本技術分野の公知の知識、または通常の技術手段を含む。明細書と実施例は、ただ例示的なものであって、本発明の本当の範囲と主旨は、以下の特許請求の範囲によって示される。
【０２２９】
本発明は、上記で記述し、図面で図示した特定の構成に限定されず、その範囲を離脱しない状況で、様様な修正と変更を実現できる。本発明の範囲は、添付される特許請求の範囲のみにより限定される。
【０２３０】
本願は、出願番号が２０１５１００４７９３９．８であって、出願日が２０１５年１月２９日である中国特許出願に基づき優先権を主張し、当該中国特許出願のすべての内容を本願に援用する。
【図１Ａ】
2017513418.tif 000005
【図１Ｂ】
2017513418.tif 000006
【図２】
2017513418.tif 000007
【図３】
2017513418.tif 000008
【図４】
2017513418.tif 000009
【図５】
2017513418.tif 000010
【図６】
2017513418.tif 000011
【図７Ａ】
2017513418.tif 000012
【図７Ｂ】
2017513418.tif 000013
【図８】
2017513418.tif 000014
【図９】
2017513418.tif 000015
【図１０】
2017513418.tif 000016
【図１１】
2017513418.tif 000017
【図１２】
2017513418.tif 000018
【図１３】
2017513418.tif 000019
【図１４】
2017513418.tif 000020
【図１５】
2017513418.tif 000021
【図１６】
2017513418.tif 000022
【図１７】
2017513418.tif 000023
【図１８】
2017513418.tif 000024
【図１９】
2017513418.tif 000025
【手続補正書】
【提出日】平成27年10月26日(2015.10.26)
【手続補正１】
【補正対象書類名】特許請求の範囲
【補正対象項目名】全文
【補正方法】変更
【補正の内容】
【特許請求の範囲】
【請求項１】
ユーザー端末が、ウェアラブルデバイスがユーザー動作によって生成した動作データを取得することと、
前記ユーザー端末が前記動作データに基づいて家庭用電子機器をコントロールするためのリモートコントロール信号を生成することと、
前記ユーザー端末が前記家庭用電子機器に前記家庭用電子機器の動作状態をコントロールするための前記リモートコントロール信号を送信することと、を含むことを特徴とするリモートコントロール方法。
【請求項２】
前記ユーザー端末が前記動作データに基づいて家庭用電子機器をコントロールするためのリモートコントロール信号を生成することは、
前記ユーザー端末が予め設定された、少なくとも１つの動作データ及び各動作データに対応しているコントロール指令が含まれる対応関係から前記動作データに対応しているコントロール指令を検索することと、
前記ユーザー端末が前記コントロール指令に基づいて前記リモートコントロール信号を生成することと、を含むことを特徴とする請求項１に記載の方法。
【請求項３】
前記ユーザー端末が動作データ及び前記動作データに対応しているコントロール指令を設置するためのコントロール指令設置操作を受信することと、
前記ユーザー端末が前記動作データ及び前記動作データに対応しているコントロール指令に基づいて前記対応関係を生成又は更新することと、をさらに含むことを特徴とする請求項２に記載の方法。
【請求項４】
前記ユーザー端末が前記ウェアラブルデバイスとバインディング関係が予め確立されたことと、をさらに含むことを特徴とする請求項１に記載の方法。
【請求項５】
前記ユーザー端末が前記家庭用電子機器に前記リモートコントロール信号を送信することは、
有線ネットワークによって前記家庭用電子機器に前記リモートコントロール信号を送信すること、又は、
ワイファイネットワークＷＩＦＩによって前記家庭用電子機器に前記リモートコントロール信号を送信すること、又は、
赤外線技術によって前記家庭用電子機器に前記リモートコントロール信号を送信すること、又は、
ブルートゥース技術によって前記家庭用電子機器に前記リモートコントロール信号を送信することを含むことを特徴とする請求項１〜４の何れかに記載の方法。
【請求項６】
ウェアラブルデバイスがユーザー動作により生成された動作データを採集することと、
前記ウェアラブルデバイスが前記動作データに基づいて前記動作データに対応しているコントロール指令を生成することと、
前記ウェアラブルデバイスが前記コントロール指令に基づいて家庭用電子機器に前記家庭用電子機器の動作状態をコントロールするためのリモートコントロール信号を送信することと、を含むことを特徴とするリモートコントロール方法。
【請求項７】
前記ウェアラブルデバイスが前記動作データに基づいて前記動作データに対応しているコントロール指令を生成することは、
前記ウェアラブルデバイスが予め設定された、少なくとも１つの動作データ及び各動作データに対応しているコントロール指令が含まれる対応関係から前記動作データに対応しているコントロール指令を検索することを含むことを特徴とする請求項６に記載の方法。
【請求項８】
前記ウェアラブルデバイスが動作データ及び前記動作データに対応しているコントロール指令を設置するためのコントロール指令設置操作を受信することと、
前記ウェアラブルデバイスが前記動作データ及び前記動作データに対応しているコントロール指令に基づいて前記対応関係を生成又は更新することと、をさらに含むことを特徴とする請求項７に記載の方法。
【請求項９】
前記ウェアラブルデバイスが前記コントロール指令に基づいて家庭用電子機器にリモートコントロール信号を送信することは、
前記ウェアラブルデバイスが前記コントロール指令を、前記コントロール指令に基づいて前記家庭用電子機器をコントロールするためのリモートコントロール信号を生成した後、前記リモートコントロール信号を前記家庭用電子機器に送信するためのユーザーデバイスに送信すること、又は、
前記ウェアラブルデバイスが前記コントロール指令に基づいてワイファイＷＩＦＩ方式のリモートコントロール信号を生成し、ＷＩＦＩネットワークによって前記家庭用電子機器に前記リモートコントロール信号を送信すること、又は、
前記ウェアラブルデバイスが前記コントロール指令に基づいて赤外線方式のリモートコントロール信号を生成し、赤外線技術によって前記家庭用電子機器に前記リモートコントロール信号を送信すること、又は、
前記ウェアラブルデバイスが前記コントロール指令に基づいてブルートゥース方式のリモートコントロール信号を生成し、ブルートゥース技術によって前記家庭用電子機器に前記リモートコントロール信号を送信すること、を含むことを特徴とする請求項６〜８の何れかに記載の方法。
【請求項１０】
前記ウェアラブルデバイスが前記前記家庭用電子機器とバインディング関係が予め確立されたこと、を含むことを特徴とする請求項６〜８の何れかに記載の方法。
【請求項１１】
家庭用電子機器が、ウェアラブルデバイスが採集したユーザー動作により生成された動作データを取得することと、
前記家庭用電子機器が前記動作データに基づいて前記動作データに対応しているコントロール指令を生成することと、
前記家庭用電子機器が前記コントロール指令を実行することと、を含むことを特徴とするリモートコントロール方法。
【請求項１２】
前記家庭用電子機器が前記動作データに基づいて前記動作データに対応しているコントロール指令を生成することは、
前記家庭用電子機器が予め設定された、少なくとも１つの動作データ及び各動作データに対応しているコントロール指令が含まれる対応関係から前記動作データに対応しているコントロール指令を検索することを含むことを特徴とする請求項１１に記載の方法。
【請求項１３】
前記家庭用電子機器が動作データ及び前記動作データに対応しているコントロール指令を設置するためのコントロール指令設置操作を受信することと、
前記家庭用電子機器が前記動作データ及び前記動作データに対応しているコントロール指令に基づいて前記対応関係を生成又は更新することと、をさらに含むことを特徴とする請求項１２に記載の方法。
【請求項１４】
前記家庭用電子機器が、ウェアラブルデバイスが採集したユーザー動作により生成された動作データを取得することは、
前記家庭用電子機器が、前記ウェアラブルデバイスからユーザーデバイスに送信された前記動作データを前記ユーザーデバイスから受信すること、又は、
前記家庭用電子機器がワイファイＷＩＦＩによって前記ウェアラブルデバイスに採集された前記動作データを取得すること、又は、
前記家庭用電子機器が赤外線技術によって前記ウェアラブルデバイスに採集された前記動作データを取得すること、又は、
前記家庭用電子機器がブルートゥース技術によって前記ウェアラブルデバイスに採集された前記動作データを取得すること、を含むことを特徴とする請求項１１〜１３の何れかに記載の方法。
【請求項１５】
前記家庭用電子機器が前記ウェアラブルデバイスとバインディング関係が予め確立されたこと、を含むことを特徴とする請求項１１〜１３の何れかに記載の方法。
【請求項１６】
ユーザーデバイスに適用され、
ウェアラブルデバイスがユーザー動作によって生成した動作データを取得するように配置されている第１取得モジュールと、
前記動作データに基づいて家庭用電子機器をコントロールするためのリモートコントロール信号を生成するように配置されている第１生成モジュールと、
前記家庭用電子機器に前記家庭用電子機器の動作状態をコントロールするための前記リモートコントロール信号を送信するように配置されている第１コントロールモジュールと、を含むことを特徴とするリモートコントロール装置。
【請求項１７】
前記第１生成モジュールは、
予め設定された、少なくとも１つの動作データ及び各動作データに対応しているコントロール指令が含まれる対応関係から前記動作データに対応しているコントロール指令を検索するように配置されている指令検索サブモジュールと、
前記コントロール指令に基づいて前記家庭用電子機器をコントロールするためのリモートコントロール信号を生成するように配置されている信号生成サブモジュールと、を含むことを特徴とする請求項１６に記載の装置。
【請求項１８】
ユーザー端末が動作データ及び前記動作データに対応しているコントロール指令を設置するためのコントロール指令設置操作を受信するように配置されている第１受信モジュールと、
前記動作データ及び前記動作データに対応しているコントロール指令に基づいて前記対応関係を生成又は更新するように配置されている第１更新モジュールと、をさらに含むことを特徴とする請求項１７に記載の装置。
【請求項１９】
前記ウェアラブルデバイスとバインディング関係が予め確立されたように配置されている第１バインディングモジュールをさらに含むことを特徴とする請求項１７に記載の装置。
【請求項２０】
前記第１コントロールモジュールが有線ネットワークによって前記家庭用電子機器に前記リモートコントロール信号を送信するように配置され、又は、
前記第１コントロールモジュールがワイファイネットワークＷＩＦＩによって前記家庭用電子機器に前記リモートコントロール信号を送信するように配置され、又は、
前記第１コントロールモジュールが赤外線技術によって前記家庭用電子機器に前記リモートコントロール信号を送信するように配置され、又は、
前記第１コントロールモジュールがブルートゥース技術によって前記家庭用電子機器に前記リモートコントロール信号を送信するように配置されていることを特徴とする請求項１６〜１９のいずれか一項に記載の装置。
【請求項２１】
ウェアラブルデバイスに適用され、
ユーザー動作により生成された動作データを採集するように配置されている第２取得モジュールと、
前記動作データに基づいて前記動作データに対応しているコントロール指令を生成するように配置されている第２生成モジュールと、
前記コントロール指令に基づいて家庭用電子機器に前記家庭用電子機器の動作状態をコントロールするためのリモートコントロール信号を送信するように配置されている第２コントロールモジュールと、を含むことを特徴とするリモートコントロール装置。
【請求項２２】
前記第２生成モジュールが予め設定された、少なくとも１つの動作データ及び各動作データに対応しているコントロール指令が含まれる対応関係から前記動作データに対応しているコントロール指令を検索するように配置されていることを特徴とする請求項２１に記載の装置。
【請求項２３】
動作データ及び前記動作データに対応しているコントロール指令を設置するためのコントロール指令設置操作を受信するように配置されている第２受信モジュールと、
前記動作データ及び前記動作データに対応しているコントロール指令に基づいて前記対応関係を生成又は更新するように配置されている第２更新モジュールと、をさらに含むことを特徴とする請求項２２に記載の装置。
【請求項２４】
前記第２コントロールモジュールが前記コントロール指令を、前記コントロール指令に基づいて前記家庭用電子機器をコントロールするためのリモートコントロール信号を生成した後、前記リモートコントロール信号を前記家庭用電子機器に送信するためのユーザーデバイスに送信するように配置され、又は、
前記第２コントロールモジュールが前記コントロール指令に基づいてワイファイＷＩＦＩ方式のリモートコントロール信号を生成し、ＷＩＦＩネットワークによって前記家庭用電子機器に前記リモートコントロール信号を送信するように配置され、又は、
前記第２コントロールモジュールが前記コントロール指令に基づいて赤外線方式のリモートコントロール信号を生成し、赤外線技術によって前記家庭用電子機器に前記リモートコントロール信号を送信するように配置され、又は、
前記第２コントロールモジュールが前記コントロール指令に基づいてブルートゥース方式のリモートコントロール信号を生成し、ブルートゥース技術によって前記家庭用電子機器に前記リモートコントロール信号を送信するように配置されていることを特徴とする請求項２１〜２３の何れかに記載の装置。
【請求項２５】
前記家庭用電子機器とバインディング関係が予め確立されたように配置されている第２バインディングモジュールをさらに含むことを特徴とする請求項２１〜２３の何れかに記載の装置。
【請求項２６】
家庭用電子機器に適用され、
ウェアラブルデバイスが採集したユーザー動作により生成された動作データを取得するように配置されている第２取得モジュールと、
前記動作データに基づいて前記動作データに対応しているコントロール指令を生成するように配置されている第２生成モジュールと、
前記コントロール指令を実行するように配置されている第２コントロールモジュールと、を含むことを特徴とするリモートコントロール装置。
【請求項２７】
前記第２生成モジュールが予め設定された、少なくとも１つの動作データ及び各動作データに対応しているコントロール指令が含まれる対応関係から前記動作データに対応しているコントロール指令を検索するように配置されていることを特徴とする請求項２６に記載の装置。
【請求項２８】
動作データ及び前記動作データに対応しているコントロール指令を設置するためのコントロール指令設置操作を受信するように配置されている第３受信モジュールと、
前記動作データ及び前記動作データに対応しているコントロール指令に基づいて前記対応関係を生成又は更新するように配置されている第３更新モジュールと、をさらに含むことを特徴とする請求項２７に記載の装置。
【請求項２９】
第３取得モジュールをさらに含み、
前記第３取得モジュールが、前記ウェアラブルデバイスからユーザーデバイスに送信された前記動作データを前記ユーザーデバイスから受信するように配置され、又は、
前記第３取得モジュールがワイファイＷＩＦＩによって前記ウェアラブルデバイスに採集された前記動作データを取得するように配置され、又は、
前記第３取得モジュールが赤外線技術によって前記ウェアラブルデバイスに採集された前記動作データを取得するように配置され、又は、
前記第３取得モジュールがブルートゥース技術によって前記ウェアラブルデバイスに採集された前記動作データを取得するように配置されていることを特徴とする請求項２６〜２８の何れかに記載の装置。
【請求項３０】
前記ウェアラブルデバイスとバインディング関係が予め確立されたように配置されている第３バインディングモジュールをさらに含むことを特徴とする請求項２６〜２８の何れかに記載の装置。
【請求項３１】
プロセッサと、
プロセッサにより実行可能な指令を記憶するためのメモリとを含み、
前記プロセッサは、
ウェアラブルデバイスがユーザー動作によって生成した動作データを取得し、
前記動作データに基づいて家庭用電子機器をコントロールするためのリモートコントロール信号を生成し、
前記家庭用電子機器に前記家庭用電子機器の動作状態をコントロールするための前記リモートコントロール信号を送信するように配置されていることを特徴とするリモートコントロール装置。
【請求項３２】
プロセッサと、
プロセッサにより実行可能な指令を記憶するためのメモリとを含み、
前記プロセッサは、
ユーザー動作により生成された動作データを採集し、
前記動作データに基づいて前記動作データに対応しているコントロール指令を生成し、
前記コントロール指令に基づいて家庭用電子機器に前記家庭用電子機器の動作状態をコントロールするためのリモートコントロール信号を送信するように配置されていることを特徴とするリモートコントロール装置。
【請求項３３】
プロセッサと、
プロセッサにより実行可能な指令を記憶するためのメモリとを含み、
前記プロセッサは、
ウェアラブルデバイスが採集したユーザー動作により生成された動作データを取得し、
前記動作データに基づいて前記動作データに対応しているコントロール指令を生成し、
前記コントロール指令を実行するように配置されていることを特徴とするリモートコントロール装置。
【請求項３４】
プロセッサに実行されることにより、請求項１〜１５のいずれかに記載のリモートコントロール方法を実現することを特徴とするプログラム。
【請求項３５】
請求項３４に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本開示は、機器コントロール分野に関し、特にリモートコントロール方法、装置、プログラム及び記録媒体に関する。
【背景技術】
【０００２】
リモコンは、家庭用電子機器の動作状態をコントロールするための電子機器である。
【０００３】
家庭用電子機器の機能が多くなっていくため、リモコンにおける物理的なキーも多くなっていく。ユーザーがリモコンを使用する過程において、リモコンに提供されている数多くの物理的なキーから対応している物理的なキーを見つけて、該物理的なキーを押圧することにより家庭用電子機器の動作状態をコントロールする必要があるので、操作ステップが煩わしい。
【発明の概要】
【０００４】
本発明は、関連技術におけるリモートコントロール方法の操作ステップが煩わしい問題を解決するために、リモートコントロール方法、装置、プログラム及び記録媒体を提供する。前記技術的な解決手段は、下記のようである。
【０００５】
本開示の第１態様によると、リモートコントロール方法が提供され、該方法は、
ユーザー端末が、ウェアラブルデバイスがユーザー動作によって生成した動作データを取得することと、
ユーザー端末が動作データに基づいて家庭用電子機器をコントロールするためのリモートコントロール信号を生成することと、
ユーザー端末が家庭用電子機器に家庭用電子機器の動作状態をコントロールするためのリモートコントロール信号を送信することと、を含む。
【０００６】
本開示の第２態様によると、リモートコントロール方法が提供され、該方法は、
ウェアラブルデバイスがユーザー動作により生成された動作データを採集することと、
ウェアラブルデバイスが動作データに基づいて動作データに対応しているコントロール指令を生成することと、
ウェアラブルデバイスがコントロール指令に基づいて家庭用電子機器に家庭用電子機器の動作状態をコントロールするためのリモートコントロール信号を送信することと、を含む。
【０００７】
本開示の第３態様によると、リモートコントロール方法が提供され、該方法は、
家庭用電子機器が、ウェアラブルデバイスが採集したユーザー動作により生成された動作データを取得することと、
家庭用電子機器が動作データに基づいて動作データに対応しているコントロール指令を生成することと、
家庭用電子機器がコントロール指令を実行することと、を含む。
【０００８】
本開示の第４態様によると、ユーザーデバイスに適用されるリモートコントロール装置が提供され、該装置は、
ウェアラブルデバイスがユーザー動作によって生成した動作データを取得するように配置されている第１取得モジュールと、
動作データに基づいて家庭用電子機器をコントロールするためのリモートコントロール信号を生成するように配置されている第１生成モジュールと、
家庭用電子機器に家庭用電子機器の動作状態をコントロールするためのリモートコントロール信号を送信するように配置されている第１コントロールモジュールと、を含む。
【０００９】
本開示の第５態様によると、ウェアラブルデバイスに適用されるリモートコントロール装置が提供され、該装置は、
ユーザー動作により生成された動作データを採集するように配置されている第２取得モジュールと、
動作データに基づいて動作データに対応しているコントロール指令を生成するように配置されている第２生成モジュールと、
コントロール指令に基づいて家庭用電子機器にリモートコントロール信号を送信するように配置されている第２コントロールモジュールと、を含む。
【００１０】
本開示の第６態様によると、家庭用電子機器に適用されるリモートコントロール装置が提供され、該装置は、
ウェアラブルデバイスが採集したユーザー動作により生成された動作データを取得するように配置されている第２取得モジュールと、
動作データに基づいて動作データに対応しているコントロール指令を生成するように配置されている第２生成モジュールと、
コントロール指令を実行するように配置されている第２コントロールモジュールと、を含む。
【００１１】
本開示の第７態様によると、リモートコントロール装置が提供され、該装置は、
プロセッサと、
プロセッサにより実行可能な指令を記憶するためのメモリとを含み、
プロセッサが、
ウェアラブルデバイスがユーザー動作によって生成した動作データを取得し、
動作データに基づいて家庭用電子機器をコントロールするためのリモートコントロール信号を生成し、
家庭用電子機器に家庭用電子機器の動作状態をコントロールするためのリモートコントロール信号を送信するように配置されている。
【００１２】
本開示の第８態様によると、リモートコントロール装置が提供され、該装置は、
プロセッサと、
プロセッサにより実行可能な指令を記憶するためのメモリとを含み、
プロセッサが、
ユーザー動作により生成された動作データを採集し、
動作データに基づいて動作データに対応しているコントロール指令を生成し、
コントロール指令に基づいて家庭用電子機器に家庭用電子機器の動作状態をコントロールするためのリモートコントロール信号を送信するように配置されている。
【００１３】
本開示の第９態様によると、リモートコントロール装置が提供され、該装置は、
プロセッサと、
プロセッサにより実行可能な指令を記憶するためのメモリとを含み、
プロセッサが、
ウェアラブルデバイスが採集したユーザー動作により生成された動作データを取得し、
動作データに基づいて動作データに対応しているコントロール指令を生成し、
コントロール指令を実行するように配置されている。
本開示の第１０態様によると、プロセッサに実行されることにより、前記のリモートコントロール方法を実現するプログラムが提供される。
本開示の第１１態様によると、前記のプログラムが記録された記録媒体が提供される。
【００１４】
本開示の実施例に提供されている技術的な解決手段は、下記の有益な効果を含む。
【００１５】
ウェアラブルデバイスがユーザー動作により生成された動作データを採集し、その後、該動作データに対応しているコントロール指令に基づいて家庭用電子機器をリモートコントロールすることにより、関連技術におけるリモートコントロール方法の操作ステップが煩わしい問題を解決して、ユーザーが、ウェアラブルデバイスによってユーザー動作を行うことだけによって、何れかのリモートコントロール用キーを押す必要がなく、家庭用電子機器をリモートコントロールすることができる効果を達成した。
【００１６】
以上の一般的な記述と、以下の詳細の記述は、ただ例示的なものであって、本発明を限定するものではないことを理解すべきである。
【図面の簡単な説明】
【００１７】
ここの図面は、明細書に組み入れて本明細書の一部分を構成し、本発明に該当する実施例を例示するとともに、明細書とともに本発明の原理を解釈するために用いられる。
【図１Ａ】１つの例示的な実施例に係る実施の環境の構造概略図である。
【図１Ｂ】１つの例示的な実施例に係る他の実施の環境の構造概略図である。
【図２】１つの例示的な実施例に係るリモートコントロール方法のフローチャートである。
【図３】他の１つの例示的な実施例に係るリモートコントロール方法のフローチャートである。
【図４】図３の実施例に提供されたリモートコントロール方法を実施する時の他の場面の概略図である。
【図５】１つの例示的な実施例に係るリモートコントロール方法のフローチャートである。
【図６】他の１つの例示的な実施例に係るリモートコントロール方法のフローチャートである。
【図７Ａ】図６の実施例に提供されたリモートコントロール方法を実施する時のインタフェースの概略図である。
【図７Ｂ】図６の実施例に提供されたリモートコントロール方法を実施する時の他のインタフェースの概略図である。
【図８】１つの例示的な実施例に係るリモートコントロール方法のフローチャートである。
【図９】他の１つの例示的な実施例に係るリモートコントロール方法のフローチャートである。
【図１０】図９の実施例に提供されたリモートコントロール方法を実施する時の場面の概略図である。
【図１１】１つの例示的な実施例に係るリモートコントロール装置のブロック図である。
【図１２】他の１つの例示的な実施例に係るリモートコントロール装置のブロック図である。
【図１３】１つの例示的な実施例に係るリモートコントロール装置のブロック図である。
【図１４】他の１つの例示的な実施例に係るリモートコントロール装置のブロック図である。
【図１５】１つの例示的な実施例に係るリモートコントロール装置のブロック図である。
【図１６】他の１つの例示的な実施例に係るリモートコントロール装置のブロック図である。
【図１７】１つの例示的な実施例に係るリモートコントロール装置のブロック図である。
【図１８】１つの例示的な実施例に係るリモートコントロール装置のブロック図である。
【図１９】１つの例示的な実施例に係るリモートコントロール装置のブロック図である。
【００１８】
上記の図面によって本開示の明確な実施例が既に示されたが、後文において更なる詳細な説明をさらに行う。これらの図面及び文字説明が如何なる方式で本開示の構想の範囲を制限するためのものではなく、特定な実施例を参照することにより当業者に対して本開示の概念を説明するためのものである。
【発明を実施するための形態】
【００１９】
ここで、図面に示される例示的な実施例について詳細に説明する。以下、図面に関連して説明する際に、特別な説明がない限り、異なる図面での同一符号は、同一または類似な要素を示す。以下の例示的な実施例で記載する実施例は、本発明に一致する全ての実施例を代表するわけではない。かえって、それらは、添付される特許請求の範囲で詳細に記載される本発明の一部の態様に一致する装置、及び方法の例に過ぎない。
【００２０】
図１Ａは、１つの例示的な実施例に係る実施の環境の概略図である。該実施の環境は、ウェアラブルデバイス１２０、ユーザーデバイス１３０及び家庭用電子機器１４０を含む。
【００２１】
ウェアラブルデバイス１２０は、スマートブレスレット、スマートグローブ、スマートウォッチ、スマートリング及びスマートクロージング等であってもよい。ウェアラブルデバイス１２０には、通常、例えば、重力加速度センサ、ジャイロセンサなどの各種のセンサが設けられている。ウェアラブルデバイス１２０は、内設センサによってユーザー動作により生成される動作データを採集する能力を持つ。ユーザー動作としては、各種の手振り動作であってもよい。図１Ａにおいてウェアラブルデバイス１２０がスマートブレスレットであることで示されている。
【００２２】
ウェアラブルデバイス１２０は、ブルートゥース（登録商標）技術、ＷＩＦＩ技術等によってユーザーデバイス１３０と接続することが可能である。
【００２３】
ユーザーデバイス１３０は、ウェアラブルデバイス１２０及び家庭用電子機器１４０と通信する能力を同時に持つ電子機器である。ユーザーデバイス１３０がスマートフォン、スマートルーター、タブレットＰＣ、サーバー、家庭用電子機器１４０に付けられているリモコン等であってもよい。図１Ａにおいてユーザーデバイス１３０がスマートフォンであることで示されている。
【００２４】
家庭用電子機器１４０は、スマートテレビ、エアコン、冷蔵庫、洗濯機等であってもよい。図１Ａにおいて、家庭用電子機器１４０がスマートテレビであることで示されている。
【００２５】
図１Ｂは、１つの例示的な実施例に係る他の実施の環境の概略図である。該実施の環境は、ウェアラブルデバイス１２０と家庭用電子機器１４０とを含む。
【００２６】
ウェアラブルデバイス１２０は、スマートブレスレット、スマートグローブ、スマートウォッチ、スマートリング及びスマートクロージング等であってもよい。ウェアラブルデバイス１２０には、通常、例えば、重力加速度センサ、ジャイロセンサなどの各種のセンサが設けられている。ウェアラブルデバイス１２０は、内設センサによってユーザー動作により生成された動作データを採集する能力を持つ。ユーザー動作は、各種の手振り動作であってもよい。図１Ｂにおいて、ウェアラブルデバイス１２０がスマートブレスレットであることで示されている。
【００２７】
ウェアラブルデバイス１２０は、ブルートゥース技術、ＷＩＦＩ（Ｗｉｒｅｌｅｓｓ  Ｆｉｄｅｌｉｔｙ）技術等で家庭用電子機器１４０と接続することができる。
【００２８】
家庭用電子機器１４０は、テレビ、エアコン、冷蔵庫、洗濯機等であってもよい。図１Ｂにおいて、家庭用電子機器１４０がスマートテレビであることで示されている。
【００２９】
図２は、１つの例示的な実施例に係るリモートコントロール方法のフローチャートである。本実施例において、該リモートコントロール方法が図１Ａ又は図１Ｂに示されているユーザーデバイスに適用されることを例として説明する。該リモートコントロール方法は、ステップ２０１〜ステップ２０３を含む。
【００３０】
ステップ２０１において、ユーザーデバイスが、ウェアラブルデバイスがユーザー動作によって生成した動作データを取得する。
【００３１】
ステップ２０２において、ユーザーデバイスが動作データに基づいて家庭用電子機器をコントロールするためのリモートコントロール信号を生成する。
【００３２】
ステップ２０３において、ユーザーデバイスが家庭用電子機器に家庭用電子機器の動作状態をコントロールするためのリモートコントロール信号を送信する。
【００３３】
上記のように、本実施例に提供されたリモートコントロール方法は、ウェアラブルデバイスがユーザー動作により生成された動作データを採集し、その後、ユーザーデバイスが該動作データに基づいて前記家庭用電子機器をコントロールするためのリモートコントロール信号を生成し、家庭用電子機器にリモートコントロール信号を送信することにより、関連技術におけるリモートコントロール方法の操作ステップが煩わしい問題を解決して、ユーザーが、ウェアラブルデバイスによってユーザー動作を行い、家庭用電子機器をリモートコントロールすることができる効果を達成した。
【００３４】
図３は、他の１つの例示的な実施例に係るリモートコントロール方法のフローチャートである。本実施例において、該リモートコントロール方法が図１Ａ又は図１Ｂに示されているユーザーデバイスに適用されることを例として説明する。該リモートコントロール方法は、ステップ３０１〜ステップ３０７を含む。
【００３５】
ステップ３０１において、ユーザーデバイスがコントロール指令設置操作を受信する。
【００３６】
ユーザーデバイスがユーザーのコントロール指令設置操作を受信する。該コントロール指令設置操作が動作データ及び該動作データに対応しているコントロール指令を設置するためのものである。ここで、動作データは、ユーザー動作がウェアラブルデバイスにおいて生成したセンサデータである。コントロール指令は、家庭用電子機器をコントロールするための指令である。
【００３７】
ユーザーデバイスが、例えば、表示スクリーンを含むスマートフォンのようなユーザインタラクション部品を含む機器である場合、本ステップは、下記のことを含むことができる。
【００３８】
第１、ユーザーデバイスが、ユーザーが少なくとも１つの予め設定されたコントロール指令から目標コントロール指令を選択する選択操作を受信する。
【００３９】
第２、ユーザーデバイスが動作採集メッセージを表示して、ユーザー動作により生成された動作データを採集する。
【００４０】
ユーザーデバイスが例えば、タッチスクリーン及び押しボタンを含まないスマートルーターのようなユーザインタラクション部品を含まない機器である場合、本ステップは、下記のことを含むことができる。
【００４１】
第１、ユーザーデバイスが、例えばユーザーのパーソナルコンピュータである配置端末と接続を確立する。
【００４２】
第２、ユーザーデバイスがユーザーに該配置端末によってトリガーされたコントロール指令設置操作を受信する。
【００４３】
ステップ３０２において、ユーザーデバイスが動作データ及び動作データに対応しているコントロール指令に基づいて対応関係を生成又は更新する。
【００４４】
ユーザーデバイスが動作データとコントロール指令との間の対応関係を記憶していない場合、家庭用電子機器が動作データ及び動作データに対応しているコントロール指令に基づいて対応関係を生成する。
【００４５】
ユーザーデバイスが動作データとコントロール指令との間の対応関係を記憶している場合、家庭用電子機器が該動作データ及び該動作データに対応しているコントロール指令に基づいて対応関係を更新する。
【００４６】
ユーザー動作、動作データ及びコントロール指令の間の例示性の対応関係が下記の表１に示されたようであり、ユーザーデバイスに動作データとコントロール指令との間の対応関係が記憶されればよい。
【００４７】
【表１】
2017513418.tif 000026
上記ステップが選択可能なステップである。つまり、動作データとコントロール指令との間の対応関係がユーザーにて自己定義で設置されてもよいし、生産メーカーにてユーザーデバイスに予め設定されて、ユーザーが直接に使用すればよい。
【００４８】
ステップ３０３において、ウェアラブルデバイスがユーザー動作により生成された動作データを採集する。
【００４９】
ユーザーが家庭用電子機器を使用している過程において、ユーザーが家庭用電子機器をリモートコントロールしようとする場合、ユーザーがウェアラブルデバイスによってユーザー動作を行い、ウェアラブルデバイスが該ユーザー動作により生成された動作データを採集する。
【００５０】
例えば、ユーザーが装着しているスマートブレスレットによってユーザー動作「↓」を行い、ウェアラブルデバイスが該ユーザー動作「↓」に対応している動作データを採集した。
【００５１】
ステップ３０４において、ユーザーデバイスが、ウェアラブルデバイスが採集したユーザー動作により生成された動作データを取得する。
【００５２】
ユーザーデバイスが下記の３種の取得方式のうちの何れか１つを採用して、ウェアラブルデバイスから動作データを取得する。
【００５３】
第１種取得方式：ユーザーデバイスがＷＩＦＩネットワークによってウェアラブルデバイスに採集された動作データを取得する。
【００５４】
第２種取得方式：ユーザーデバイスが赤外線技術によってウェアラブルデバイスに採集された動作データを取得する。
【００５５】
第３種取得方式：ユーザーデバイスがブルートゥース技術によってウェアラブルデバイスに採集された動作データを取得する。
【００５６】
ステップ３０５において、ユーザーデバイスが少なくとも１つの動作データ及び各動作データに対応しているコントロール指令が含まれる予め設定された対応関係から該動作データに対応しているコントロール指令を検索する。
【００５７】
ユーザーデバイスがウェアラブルデバイスに採集された動作データに基づいて、予め設定された対応関係から該動作データに対応しているコントロール指令を検索する。
【００５８】
例えば、ウェアラブルデバイスが該ユーザー動作「↓」に対応している動作データを採集し、ユーザーデバイスが表１に示されている対応関係から、該動作データに対応しているコントロール指令が「音量下げ指令」であることを検索した。
【００５９】
ステップ３０６において、ユーザーデバイスが家庭用電子機器にリモートコントロール信号を送信する。
【００６０】
ユーザーデバイスがコントロール指令に基づいてリモートコントロール信号を生成する。その後、ユーザーデバイスが家庭用電子機器にリモートコントロール信号を送信する。本ステップは、下記の４種の送信方式のうちの何れか１つを採用して実現されることができる。
【００６１】
第１種送信方式：ユーザーデバイスが有線ネットワークによって家庭用電子機器にリモートコントロール信号を送信する。例えば、ユーザーデバイスがスマートルーターであり、該スマートルーターが有線ネットワークによってスマートテレビに接続する場合、スマートルーターが有線ネットワークによってスマートテレビにリモートコントロール信号を送信する。
【００６２】
第２種送信方式：ユーザーデバイスがＷＩＦＩネットワークによって家庭用電子機器にリモートコントロール信号を送信する。例えば、ユーザーデバイスがスマートルーターであり、該スマートルーターがＷＩＦＩネットワークによってスマートテレビに接続する場合、スマートルーターがＷＩＦＩネットワークによってスマートテレビにリモートコントロール信号を送信する。
【００６３】
第３種送信方式：ユーザーデバイスが赤外線技術によって家庭用電子機器にリモートコントロール信号を送信する。例えば、ユーザーデバイスが赤外線リモートコントロール機能を有するスマートフォンである場合、スマートフォンが赤外線技術によって家庭用電子機器にリモートコントロール信号を送信する。
【００６４】
第４種送信方式：ユーザーデバイスがブルートゥース技術によって家庭用電子機器にリモートコントロール信号を送信する。例えば、ユーザーデバイスがブルートゥース機能を有するスマートフォンであり、該スマートフォンがブルートゥース技術によってスマートテレビに接続する場合、スマートフォンがブルートゥース技術によって家庭用電子機器にリモートコントロール信号を送信することができる。
【００６５】
対応的に、家庭用電子機器が該リモートコントロール信号を受信する。
【００６６】
ステップ３０７において、家庭用電子機器が該コントロール指令を実行する。
【００６７】
例えば、家庭用電子機器が「音量下げ指令」を実行する。
【００６８】
上記のように、本実施例に提供されたリモートコントロール方法は、ウェアラブルデバイスがユーザー動作により生成された動作データを採集し、その後、ユーザーデバイスが該動作データに基づいて前記家庭用電子機器をコントロールするためのリモートコントロール信号を生成して、家庭用電子機器にリモートコントロール信号を送信することにより、関連技術におけるリモートコントロール方法の操作ステップが煩わしい問題を解決して、ユーザーが、ウェアラブルデバイスによってユーザー動作を行うことだけによって、何れかのリモートコントロール用押しボタンを押す必要がなく、家庭用電子機器をリモートコントロールすることができる効果を達成した。
【００６９】
本実施例に提供されたリモートコントロール方法は、ユーザーが動作データとコントロール指令との間の対応関係を自己定義することにより、ユーザーが自己定義されたユーザー動作によって家庭用電子機器をリモートコントロールすることができる効果も実現した。
【００７０】
図４を参照すると、1つの例示的な実施例において、ユーザーの家においてＷＩＦＩ技術にサポートされたスマートテレビ４２０とスマートルーター４４０とが配置されて、ユーザーがさらにスマートブレスレット４６０も使用している。該スマートルーター４４０が予め配置されることにより、ユーザー手振りがスマートブレスレット４６０でトリガーした動作データとスマートテレビ４２０のコントロール指令とを対応して記憶している。ユーザーがスマートテレビ４２０をリモートコントロールする必要がある時に、１つのユーザー手振り、例えば、図４に示された上昇する手振りをすることができる。スマートブレスレット４６０が該ユーザーの手振りに生成された動作データをスマートルーター４４０に送信し、そして、スマートルーター４４０が該動作データに対応しているコントロール指令を検索し、その後、ＷＩＦＩネットワークによって該コントロール指令をスマートテレビ４２０に送信して、該スマートテレビ４２０が相応して音量を上げる。この種の実現場面において、スマートテレビ４２０及びスマートブレスレット４６０が自体に有するべき機能だけを有すれば、機能上の改善をする必要がなく、スマートルーター４４０側において相応した機能を増加すればよい。従って、該実施例は、良好な適用性を有し、もちろん、スマートルーター４４０がユーザーのスマートフォン、タブレットＰＣ等で代替されてもよい。
【００７１】
図５は、１つの例示的な実施例に係るリモートコントロール方法のフローチャートである。本実施例において、該リモートコントロール方法が図１Ａ又は図１Ｂに示されているウェアラブルデバイスに適用されることを例として説明する。該リモートコントロール方法は、ステップ５０１〜ステップ５０３を含む。
【００７２】
ステップ５０１において、ウェアラブルデバイスがユーザー動作により生成された動作データを採集する。
【００７３】
ステップ５０２において、ウェアラブルデバイスが動作データに基づいて動作データに対応しているコントロール指令を生成する。
【００７４】
ステップ５０３において、ウェアラブルデバイスがコントロール指令に基づいて家庭用電子機器に家庭用電子機器の動作状態をコントロールするためのリモートコントロール信号を送信する。
【００７５】
上記のように、本実施例に提供されたリモートコントロール方法は、ウェアラブルデバイスがユーザー動作により生成された動作データを採集し、その後、該動作データに対応しているコントロール指令に基づいて家庭用電子機器をリモートコントロールすることにより、関連技術におけるリモートコントロール方法の操作ステップが煩わしい問題を解決して、ユーザーが、ウェアラブルデバイスによってユーザー動作を行うことだけによって、何れかのリモートコントロール用押しボタンを押す必要がなく、家庭用電子機器をリモートコントロールすることができる効果を達成した。
【００７６】
図６は、他の１つの例示的な実施例に係るリモートコントロール方法のフローチャートである。本実施例において、該リモートコントロール方法が図１Ａ又は図１Ｂに示されている実施の環境に適用されることを例として説明する。該リモートコントロール方法は、ステップ６０１〜ステップ６０６を含む。
【００７７】
ステップ６０１において、ウェアラブルデバイスがコントロール指令設置操作を受信する。
【００７８】
ウェアラブルデバイスがユーザーのコントロール指令設置操作を受信する。該コントロール指令設置操作が動作データ及び該動作データに対応しているコントロール指令を設置するためのものである。ここで、動作データは、ユーザー動作がウェアラブルデバイスにおいて生成したセンサデータである。コントロール指令は、家庭用電子機器をコントロールするための指令である。
【００７９】
ウェアラブルデバイスが例えば、タッチスクリーンを含むスマートウォッチのようなユーザインタラクション部品を含むウェアラブルデバイスである場合、本ステップは、下記のことを含むことができる。
【００８０】
第１、ウェアラブルデバイスが、ユーザーが少なくとも１つの予め設定されたコントロール指令から目標コントロール指令を選択する選択操作を受信する。
【００８１】
第２、ウェアラブルデバイスが動作採集メッセージを表示して、ユーザー動作により生成された動作データを採集する。
【００８２】
図７Ａを参照すると、ウェアラブルデバイスがスマートウォッチであり、家庭用電子機器がスマートテレビであることを例として、ユーザーがスマートウォッチ７１において「テレビチャンネルを切替える」コントロール指令を目標コントロール指令として選択する。その後、スマートウォッチ７１において「１０秒内に貴方の手振りを入力してください」という動作採集メッセージ７２を表示し、その後、ユーザーが自己定義された手振りを行い、スマートウォッチ７１が該手振りに生成されたセンサデータを動作データとして採集する。
【００８３】
ウェアラブルデバイスが例えば、タッチスクリーン及び押しボタンを含まないスマートブレスレットのようなユーザインタラクション部品を含まないウェアラブルデバイスである場合、本ステップは、下記のことを含むことができる。
【００８４】
第１、ウェアラブルデバイスが、例えばユーザーのパーソナルコンピュータである配置端末と接続を確立する。
【００８５】
第２、ウェアラブルデバイスが、ユーザーが該配置端末によってトリガーしたコントロール指令設置操作を受信する。
【００８６】
図７Ｂを参照すると、ウェアラブルデバイスがスマートブレスレットであり、配置端末がユーザーのパーソナルコンピュータであることを例として、ユーザーがパーソナルコンピュータ７３において「テレビチャンネルを切替える」コントロール指令を目標コントロール指令として選択する。その後、パーソナルコンピュータ７３が「１０秒内に貴方の手振りを入力してください」という動作採集メッセージ７４を表示して、その後、ユーザーが自己定義された手振りを行い、スマートブレスレット７５が該手振りに生成されたセンサデータを動作データとして採集する。
【００８７】
ステップ６０２において、ウェアラブルデバイスが動作データ及び動作データに対応しているコントロール指令に基づいて対応関係を生成又は更新する。
【００８８】
ウェアラブルデバイスが動作データとコントロール指令との間の対応関係を記憶していない場合、ウェアラブルデバイスが動作データ及び動作データに対応しているコントロール指令に基づいて対応関係を生成する。
【００８９】
ウェアラブルデバイスが動作データとコントロール指令との間の対応関係を記憶している場合、ウェアラブルデバイスが該動作データ及び該動作データに対応しているコントロール指令に基づいて対応関係を更新する。
【００９０】
ユーザー動作、動作データ及びコントロール指令の間の例示された対応関係は、下記の表２に示されるようであり、ウェアラブルデバイスには動作データとコントロール指令との間の対応関係が記憶されればよい。
【００９１】
【表２】
2017513418.tif 000027
上記ステップが選択可能なステップである。つまり、動作データとコントロール指令との間の対応関係がユーザーにて自己定義で設置されてもよいし、生産メーカーにてウェアラブルデバイスに予め設定されて、ユーザーが直接に使用してもよい。
【００９２】
ステップ６０３において、ウェアラブルデバイスがユーザー動作により生成された動作データを採集する。
【００９３】
ユーザーが家庭用電子機器を使用している過程において、ユーザーが家庭用電子機器をリモートコントロールしようとする場合、ユーザーがウェアラブルデバイスによってユーザー動作を行い、ウェアラブルデバイスが該ユーザー動作により生成された動作データを採集する。
【００９４】
例えば、ユーザーが装着しているスマートブレスレットによってユーザー動作「↑」を行い、ウェアラブルデバイスが該ユーザー動作「↑」に対応している動作データを採集した。
【００９５】
ステップ６０４において、ウェアラブルデバイスが少なくとも１つの動作データ及び各動作データに対応しているコントロール指令が含まれる予め設定された対応関係から該動作データに対応しているコントロール指令を検索する。
【００９６】
ウェアラブルデバイスが採集された動作データに基づいて、予め設定された対応関係から該動作データに対応しているコントロール指令を検索する。
【００９７】
例えば、ウェアラブルデバイスが該ユーザー動作「↑」に対応している動作データを採集し、表１に示されている対応関係から、該動作データに対応しているコントロール指令が「音量上げ指令」であることを検索した。
【００９８】
ステップ６０５において、ウェアラブルデバイスがコントロール指令に基づいて家庭用電子機器にリモートコントロール信号を送信する。
【００９９】
ウェアラブルデバイスがコントロール指令に基づいて家庭用電子機器にリモートコントロール信号を送信する。
【０１００】
本ステップは、下記の幾つかの実現方式のうちの何れか１種を採用して実現することができる。
【０１０１】
第１種方式：ウェアラブルデバイスがコントロール指令をユーザーデバイスに送信し、該ユーザーデバイスがコントロール指令に基づいて家庭用電子機器をコントロールするためのリモートコントロール信号を生成した後、リモートコントロール信号を家庭用電子機器に送信するように用いられる。言い換えれば、ユーザーデバイス側に対し、ユーザーデバイスが、ウェアラブルデバイスが採集したユーザー動作により生成された動作データを取得する。該動作データが、ウェアラブルデバイスがユーザー動作により生成された動作データを採集した後に検索された該動作データに対応しているコントロール指令である時に、ユーザーデバイスが該コントロール指令に基づいて家庭用電子機器をコントロールするためのリモートコントロール信号を生成した後、リモートコントロール信号を家庭用電子機器に送信する。
【０１０２】
第２種方式：ウェアラブルデバイスがコントロール指令に基づいてＷＩＦＩ方式のリモートコントロール信号を生成し、ＷＩＦＩネットワークによって家庭用電子機器にリモートコントロール信号を送信する。
【０１０３】
第３種方式：ウェアラブルデバイスがコントロール指令に基づいて赤外線方式のリモートコントロール信号を生成し、赤外線技術によって家庭用電子機器にリモートコントロール信号を送信する。
【０１０４】
第４種方式：ウェアラブルデバイスがコントロール指令に基づいてブルートゥース方式のリモートコントロール信号を生成し、ブルートゥース技術によって家庭用電子機器にリモートコントロール信号を送信する。
【０１０５】
ステップ６０６において、家庭用電子機器が該リモートコントロール信号に対応しているコントロール指令を実行する。
【０１０６】
家庭用電子機器がリモートコントロール信号からコントロール指令を解析して、その後、該コントロール指令を実行する。
【０１０７】
上記のように、本実施例に提供されたリモートコントロール方法は、ウェアラブルデバイスがユーザー動作により生成された動作データを採集して、その後、該動作データに対応しているコントロール指令に基づいて家庭用電子機器をリモートコントロールすることにより、関連技術におけるリモートコントロール方法の操作ステップが煩わしい問題を解決して、ユーザーが、ウェアラブルデバイスによってユーザー動作を行うことだけによって、何れかのリモートコントロール用キーを押す必要がなく、家庭用電子機器をリモートコントロールすることができる効果を達成した。
【０１０８】
本実施例に提供されたリモートコントロール方法は、ユーザーが動作データとコントロール指令との間の対応関係を自己定義することにより、ユーザーが自己定義されたユーザー動作によって家庭用電子機器をリモートコントロールすることができる効果も実現した。
【０１０９】
可能な実施の形態として、上記の動作データとコントロール指令との間の対応関係が家庭用電子機器側に記憶されてもよい。
【０１１０】
図８は、１つの例示的な実施例に係るリモートコントロール方法のフローチャートである。本実施例において、該リモートコントロール方法が図１Ａ又は図１Ｂに示された家庭用電子機器に適用されることを例として説明する。該リモートコントロール方法は、ステップ８０１〜ステップ８０３を含む。
【０１１１】
ステップ８０１において、家庭用電子機器が、ウェアラブルデバイスが採集したユーザー動作により生成された動作データを取得する。
【０１１２】
ステップ８０２において、家庭用電子機器が動作データに基づいて動作データに対応しているコントロール指令を生成する。
【０１１３】
ステップ８０３において、家庭用電子機器が該コントロール指令を実行する。
【０１１４】
上記のように、本実施例に提供されたリモートコントロール方法は、ウェアラブルデバイスがユーザー動作により生成された動作データを採集し、その後、家庭用電子機器が該動作データに基づいて対応しているコントロール指令を生成するとともに実行することにより、関連技術におけるリモートコントロール方法の操作ステップが煩わしい問題を解決して、ユーザーが、ウェアラブルデバイスによってユーザー動作を行うことだけによって、何れかのリモートコントロール用キーを押す必要がなく、家庭用電子機器をリモートコントロールすることができる効果を達成した。
【０１１５】
図９は、他の１つの例示的な実施例に係るリモートコントロール方法のフローチャートである。本実施例において、該リモートコントロール方法が図１Ａ又は図１Ｂに示された家庭用電子機器に適用されることを例として説明する。該リモートコントロール方法は、ステップ９０１〜ステップ９０６を含む。
【０１１６】
ステップ９０１において、家庭用電子機器がコントロール指令設置操作を受信する。
【０１１７】
家庭用電子機器がユーザーのコントロール指令設置操作を受信する。該コントロール指令設置操作が動作データ及び該動作データに対応しているコントロール指令を設置するためのものである。ここで、動作データは、ユーザー動作がウェアラブルデバイスにおいて生成したセンサデータである。コントロール指令は、家庭用電子機器をコントロールするための指令である。
【０１１８】
家庭用電子機器が例えば、表示スクリーンを含むスマートテレビのようなユーザインタラクション部品を含む機器である場合、本ステップが下記のことを含むことができる。
【０１１９】
第１、家庭用電子機器が、ユーザーが少なくとも１つの予め設定されたコントロール指令から目標コントロール指令を選択する選択操作を受信する。
【０１２０】
第２、家庭用電子機器が動作採集メッセージを表示して、ユーザー動作により生成された動作データを採集する。
【０１２１】
図１０を参照すると、ウェアラブルデバイスがスマートウォッチであり、家庭用電子機器がスマートテレビであることを例として、ユーザーがスマートテレビ１０１において「テレビチャンネルを切替える」コントロール指令を目標コントロール指令として選択する。その後、スマートテレビ１０１には「１０秒内に貴方の手振りを入力してください」という動作採集メッセージ１０２が表示され、その後、ユーザーが自己定義された手振りを行い、スマートウォッチ１０３が該手振りに生成されたセンサデータを動作データとして採集するとともに、スマートテレビ１０１に送信する。
【０１２２】
家庭用電子機器が例えば、タッチスクリーン及び押しボタンを含まないスマート電球のようなユーザインタラクション部品を含まない機器である場合、本ステップが下記のことを含むことができる。
【０１２３】
第１、家庭用電子機器が、例えばユーザーのパーソナルコンピュータである配置端末と接続を確立する。
【０１２４】
第２、家庭用電子機器が、ユーザーが該配置端末によってトリガーしたコントロール指令設置操作を受信する。
【０１２５】
ステップ９０２において、家庭用電子機器が動作データ及び動作データに対応しているコントロール指令に基づいて対応関係を生成又は更新する。
【０１２６】
家庭用電子機器が動作データとコントロール指令との間の対応関係を記憶していない場合、家庭用電子機器が動作データ及び動作データに対応しているコントロール指令に基づいて対応関係を生成する。
【０１２７】
家庭用電子機器が動作データとコントロール指令との間の対応関係を記憶している場合、家庭用電子機器が該動作データ及び該動作データに対応しているコントロール指令に基づいて対応関係を更新する。
【０１２８】
ユーザー動作、動作データ及びコントロール指令の間の例示された対応関係が下記の表１に示されたようであり、家庭用電子機器には動作データとコントロール指令との間の対応関係が記憶されればよい。
【０１２９】
上記ステップが選択可能なステップである。つまり、動作データとコントロール指令との間の対応関係がユーザーにて自己定義で設置されてもよいし、生産メーカーにて家庭用電子機器に予め設定されて、ユーザーが直接に使用してもよい。
【０１３０】
ステップ９０３において、ウェアラブルデバイスがユーザー動作により生成された動作データを採集する。
【０１３１】
ユーザーが家庭用電子機器を使用している過程において、ユーザーが家庭用電子機器をリモートコントロールしようとする場合、ユーザーがウェアラブルデバイスによってユーザー動作を行い、ウェアラブルデバイスが該ユーザー動作により生成された動作データを採集する。
【０１３２】
例えば、ユーザーが装着しているスマートブレスレットによってユーザー動作「↑」を行い、ウェアラブルデバイスが該ユーザー動作「↑」に対応している動作データを採集した。
【０１３３】
ステップ９０４において、家庭用電子機器が、ウェアラブルデバイスが採集したユーザー動作により生成された動作データを取得する。
【０１３４】
家庭用電子機器がウェアラブルデバイスと直接に通信する能力を持てば、家庭用電子機器が、ウェアラブルデバイスが採集したユーザー動作により生成された動作データを直接に取得する。家庭用電子機器が下記の３種の方式のうちの何れか１種の取得方式を採用することができる。
【０１３５】
第１種取得方式：家庭用電子機器がＷＩＦＩネットワークによってウェアラブルデバイスに採集された動作データを取得する。
【０１３６】
第２種の取得方式：家庭用電子機器が赤外線技術によってウェアラブルデバイスに採集された動作データを取得する。
【０１３７】
第３種の取得方式：家庭用電子機器がブルートゥース技術によってウェアラブルデバイスに採集された動作データを取得する。
【０１３８】
家庭用電子機器がウェアラブルデバイスと直接に通信する能力を持たなければ、家庭用電子機器がユーザーデバイスによって、ウェアラブルデバイスが採集したユーザー動作により生成された動作データを取得する。つまり、家庭用電子機器がユーザーデバイスに送信された動作データを受信し、該動作データがウェアラブルデバイスからユーザーデバイスに送信されたものである。
【０１３９】
ステップ９０５において、家庭用電子機器が少なくとも１つの動作データ及び各動作データに対応しているコントロール指令が含まれる予め設定された対応関係から該動作データに対応しているコントロール指令を検索する。
【０１４０】
家庭用電子機器がウェアラブルデバイスに採集された動作データに基づいて、予め設定された対応関係から該動作データに対応しているコントロール指令を検索する。
【０１４１】
例えば、ウェアラブルデバイスが該ユーザー動作「↑」に対応している動作データを採集した後、家庭用電子機器が表１に示されている対応関係から該動作データに対応しているコントロール指令が「音量上げ指令」であることを検索した。
【０１４２】
ステップ９０６において、家庭用電子機器が該コントロール指令を実行する。
【０１４３】
例えば、家庭用電子機器が「音量上げ指令」を実行する。
【０１４４】
上記のように、本実施例に提供されたリモートコントロール方法は、ウェアラブルデバイスがユーザー動作により生成された動作データを採集し、その後、家庭用電子機器が該動作データに基づいて対応しているコントロール指令を生成するとともに実行することにより、関連技術におけるリモートコントロール方法の操作ステップが煩わしい問題を解決して、ユーザーが、ウェアラブルデバイスによってユーザー動作を行うことだけによって、何れかのリモートコントロール用キーを押す必要がなく、家庭用電子機器をリモートコントロールすることができる効果を達成した。
【０１４５】
本実施例に提供されたリモートコントロール方法は、ユーザーが動作データとコントロール指令との間の対応関係を自己定義することにより、ユーザーが自己定義されたユーザー動作によって家庭用電子機器をリモートコントロールすることができる効果も実現した。
【０１４６】
図１Ａに示された実施の環境において、ウェアラブルデバイスとユーザーデバイスとの間はバインディング関係を予め確立してよく、ユーザーデバイスと家庭用電子機器との間もバインディング関係を確立してよい。ユーザーデバイスがバインディングされたウェアラブルデバイスの動作データだけを受信し、家庭用電子機器がバインディングされたユーザーデバイスのリモートコントロール信号だけを受信する。
【０１４７】
本開示実施例において、ウェアラブルデバイスとユーザーデバイスとをバインディングすることは、下記の４種のケースのうちの何れか１種を含む。
【０１４８】
第１種ケース：ユーザーデバイスがウェアラブルデバイスのウェアラブルデバイス用マークを取得するとともに、自体とバインディングする。該ウェアラブルデバイス用マークがウェアラブルデバイスの外表面に粘着している二次元コードであってもよく、ユーザーデバイスが二次元コードをスキャンすることによって該ウェアラブルデバイス用マークを取得する。
【０１４９】
第２種ケース：ウェアラブルデバイスがサーバー（図１Ａ及び図１Ｂにおいて示されていない。）にウェアラブルデバイス用マーク及びユーザーアカウントを送信するとともに、ユーザーデバイスもサーバーにユーザーデバイス用マーク及びユーザーアカウントを送信して、サーバーがウェアラブルデバイス用マーク、ユーザーデバイス用マーク及びユーザーアカウントによって、ウェアラブルデバイス、ユーザーデバイス及びユーザーアカウントをバインディングする。
【０１５０】
第３種ケース：ウェアラブルデバイスがバインディングされた中継端末を介してサーバーにウェアラブルデバイス用マーク及びユーザーアカウントを送信するとともに、ユーザーデバイスもサーバーにユーザーデバイス用マーク及びユーザーアカウントを送信し、サーバーがウェアラブルデバイス用マーク、ユーザーデバイス用マーク及びユーザーアカウントによって、ウェアラブルデバイス、ユーザーデバイス及びユーザーアカウントをバインディングする。
【０１５１】
第４種ケース：ウェアラブルデバイスがユーザーデバイスによってサーバーにウェアラブルデバイス用マーク及びユーザーアカウントを送信するとともに、ユーザーデバイスもサーバーにユーザーデバイス用マーク及びユーザーアカウントを送信し、サーバーがウェアラブルデバイス用マーク、ユーザーデバイス用マーク及びユーザーアカウントによって、ウェアラブルデバイス、ユーザーデバイス及びユーザーアカウントをバインディングする。
【０１５２】
本開示の実施例において、ユーザーデバイスと家庭用電子機器とをバインディングすることは、下記の４種のケースのうちの何れか１種を含む。
【０１５３】
第１種ケース：ユーザーデバイスが家庭用電子機器の家庭用電子機器用マークを取得するとともに、自体とバインディングする。該家庭用電子機器用マークが家庭用電子機器の外表面に粘着している二次元コードであってもよく、ユーザーデバイスが二次元コードをスキャンすることにより該家庭用電子機器用マークを取得する。例えば、ユーザーデバイスがスマートフォンであり、家庭用電子機器がエアコンである。
【０１５４】
第２種ケース：家庭用電子機器がユーザーデバイスの家庭用電子機器用マークを取得するとともに、自体とバインディングする。該ユーザーデバイス用マークがユーザーデバイスの外表面に粘着している二次元コードであってもよく、家庭用電子機器が二次元コードをスキャンすることにより該ユーザーデバイス用マークを取得する。例えば、家庭用電子機器がスマートテレビであり、ユーザーデバイスがスマートルーターである。
【０１５５】
第３種ケース：家庭用電子機器がサーバーに家庭用電子機器用マーク及びユーザーアカウントを送信するとともに、ユーザーデバイスもサーバーにユーザーデバイス用マーク及びユーザーアカウントを送信し、サーバーが家庭用電子機器用マーク、ユーザーデバイス用マーク及びユーザーアカウントによって、家庭用電子機器、ユーザーデバイス及びユーザーアカウントをバインディングする。
【０１５６】
第４種ケース：家庭用電子機器がユーザーデバイスによってサーバーに家庭用電子機器用マーク及びユーザーアカウントを送信するとともに、ユーザーデバイスもサーバーにユーザーデバイス用マーク及びユーザーアカウントを送信し、サーバーが家庭用電子機器用マーク、ユーザーデバイス用マーク及びユーザーアカウントによって、家庭用電子機器、ユーザーデバイス及びユーザーアカウントをバインディングする。
【０１５７】
さらに説明する必要があり、図１Ｂに示されている実施の環境において、ウェアラブルデバイスと家庭用電子機器との間は、バインディング関係を予め確立してもよい。家庭用電子機器がバインディングされたウェアラブルデバイスのリモートコントロール信号だけを受信する。
【０１５８】
本開示実施例において、ウェアラブルデバイスと家庭用電子機器とをバインディングすることが下記の４種のケースのうちの何れか１種を含む。
【０１５９】
第１種ケース：家庭用電子機器がウェアラブルデバイスのウェアラブルデバイス用マークを取得するとともに、自体とバインディングする。該ウェアラブルデバイス用マークがウェアラブルデバイスの外表面に粘着している二次元コードであってもよく、家庭用電子機器が二次元コードをスキャンすることにより該ウェアラブルデバイス用マークを取得する。
【０１６０】
第２種ケース：ウェアラブルデバイスがサーバーにウェアラブルデバイス用マーク及びユーザーアカウントを送信するとともに、家庭用電子機器もサーバーに家庭用電子機器用マーク及びユーザーアカウントを送信し、サーバーがウェアラブルデバイス用マーク、家庭用電子機器用マーク及びユーザーアカウントによって、ウェアラブルデバイス、家庭用電子機器及びユーザーアカウントをバインディングする。
【０１６１】
第３種ケース：ウェアラブルデバイスがバインディングされた中継端末によってサーバーにウェアラブルデバイス用マーク及びユーザーアカウントを送信するとともに、家庭用電子機器もサーバーに家庭用電子機器用マーク及びユーザーアカウントを送信し、サーバーがウェアラブルデバイス用マーク、家庭用電子機器用マーク及びユーザーアカウントによって、ウェアラブルデバイス、家庭用電子機器及びユーザーアカウントをバインディングする。
【０１６２】
第４種ケース：ウェアラブルデバイスが家庭用電子機器によってサーバーにウェアラブルデバイス用マーク及びユーザーアカウントを送信するとともに、家庭用電子機器もサーバーに家庭用電子機器用マーク及びユーザーアカウントを送信し、サーバーがウェアラブルデバイス用マーク、家庭用電子機器用マーク及びユーザーアカウントによって、ウェアラブルデバイス、家庭用電子機器及びユーザーアカウントをバインディングする。
【０１６３】
上記の４種のケースにおいて、ウェアラブルデバイス用マークが１つのウェアラブルデバイスを唯一にマークするためのものであり、家庭用電子機器用マークが１つの家庭用電子機器を唯一にマークするためのものであり、ウェアラブルデバイスがサーバーに送信するユーザーアカウントと家庭用電子機器がサーバーに送信するユーザーアカウントとが同じであってもよい。
【０１６４】
下記は、本開示の装置の実施例であり、本開示の方法の実施例を実行できるものである。本開示の装置の実施例において記載されていない細かい点について、本開示の方法の実施例を参照してよい。
【０１６５】
図１１は、１つの例示的な実施例に係るリモートコントロール装置のブロック図である。該リモートコントロール装置がソフトウェア、ハードウェア又は両者の組み合わせによってユーザーデバイスの一部又は全部として実現でき、ユーザーデバイスがウェアラブルデバイス及び家庭用電子機器と通信する能力を持つ。該リモートコントロール装置は、
ウェアラブルデバイスがユーザー動作によって生成した動作データを取得するように配置されている第１取得モジュール１１２０と、
動作データに基づいて家庭用電子機器をコントロールするためのリモートコントロール信号を生成するように配置されている第１生成モジュール１１４０と、
家庭用電子機器に家庭用電子機器の動作状態をコントロールするためのリモートコントロール信号を送信するように配置されている第１コントロールモジュール１１６０と、を含むことができる。
【０１６６】
上記のように、本実施例に提供されたリモートコントロール装置は、ウェアラブルデバイスがユーザー動作により生成された動作データを採集し、その後、ユーザーデバイスが該動作データに基づいて前記家庭用電子機器をコントロールするためのリモートコントロール信号を生成し、家庭用電子機器にリモートコントロール信号を送信することにより、関連技術におけるリモートコントロール方法の操作ステップが煩わしい問題を解決して、ユーザーが、ウェアラブルデバイスによってユーザー動作を行うことだけによって、家庭用電子機器をリモートコントロールすることができる効果を達成した。
【０１６７】
図１２は、他の１つの例示的な実施例に係るリモートコントロール装置のブロック図である。該リモートコントロール装置がソフトウェア、ハードウェア又は両者の組み合わせによってユーザーデバイスの一部又は全部として実現でき、ユーザーデバイスがウェアラブルデバイス及び家庭用電子機器と通信する能力を持つ。該リモートコントロール装置は、
ウェアラブルデバイスがユーザー動作によって生成した動作データを取得するように配置されている第１取得モジュール１１２０と、
動作データに基づいて家庭用電子機器をコントロールするためのリモートコントロール信号を生成するように配置されている第１生成モジュール１１４０と、
家庭用電子機器に家庭用電子機器の動作状態をコントロールするためのリモートコントロール信号を送信するように配置されている第１コントロールモジュール１１６０と、を含むことができる。
【０１６８】
好ましくは、第１生成モジュール１１４０は、
予め設定された、少なくとも１つの動作データ及び各動作データに対応しているコントロール指令が含まれる対応関係から動作データに対応しているコントロール指令を検索するように配置されている指令検索サブモジュール１１４２と、
コントロール指令に基づいて家庭用電子機器をコントロールするためのリモートコントロール信号を生成するように配置されている信号生成サブモジュール１１４４と、を含む。
【０１６９】
好ましくは、該装置は、
ユーザー端末が動作データ及び動作データに対応しているコントロール指令を設置するためのコントロール指令設置操作を受信するように配置されている第１受信モジュール１１３２と、
動作データ及び動作データに対応しているコントロール指令に基づいて対応関係を生成又は更新するように配置されている第１更新モジュール１１３４と、をさらに含む。
【０１７０】
好ましくは、該装置は、
ウェアラブルデバイスとバインディング関係が予め確立されたように配置されている第１バインディングモジュール１１１０をさらに含む。
【０１７１】
好ましくは、第１コントロールモジュール１１６０が、有線ネットワークによって家庭用電子機器にリモートコントロール信号を送信するように配置され、又は、
第１コントロールモジュール１１６０が、ワイファイネットワークＷＩＦＩによって家庭用電子機器にリモートコントロール信号を送信するように配置され、又は、
第１コントロールモジュール１１６０が、赤外線技術によって家庭用電子機器にリモートコントロール信号を送信するように配置され、
又は、
第１コントロールモジュール１１６０が、ブルートゥース技術によって家庭用電子機器にリモートコントロール信号を送信するように配置されている。
【０１７２】
上記のように、本実施例に提供されたリモートコントロール装置は、ウェアラブルデバイスがユーザー動作により生成された動作データを採集し、その後、ユーザーデバイスが該動作データに基づいて前記家庭用電子機器をコントロールするためのリモートコントロール信号を生成し、家庭用電子機器にリモートコントロール信号を送信することにより、関連技術におけるリモートコントロール方法の操作ステップが煩わしい問題を解決して、ユーザーが、ウェアラブルデバイスによってユーザー動作を行うことだけによって、何れかのリモートコントロール用キーを押す必要がなく、家庭用電子機器をリモートコントロールすることができる効果を達成した。
【０１７３】
本実施例に提供されたリモートコントロール装置は、ユーザーにて動作データとコントロール指令との間の対応関係を自己定義することにより、ユーザーが自己定義されたユーザー動作によって家庭用電子機器をリモートコントロールすることができる効果をさらに実現した。
【０１７４】
図１３は、１つの例示的な実施例に係るリモートコントロール装置のブロック図である。該リモートコントロール装置がソフトウェア、ハードウェア又は両者の組み合わせによってウェアラブルデバイスの一部又は全部として実現できる。該リモートコントロール装置は、
ユーザー動作により生成された動作データを採集するように配置されている第２取得モジュール１３２０と、
該動作データに基づいて該動作データに対応しているコントロール指令を生成するように配置されている第２生成モジュール１３４０と、
該コントロール指令に基づいて家庭用電子機器にリモートコントロール信号を送信するように配置されている第２コントロールモジュール１３６０と、を含むことができる。
【０１７５】
上記のように、本実施例に提供されたリモートコントロール装置は、ウェアラブルデバイスがユーザー動作により生成された動作データを採集し、その後、該動作データに対応しているコントロール指令に基づいて家庭用電子機器をリモートコントロールすることにより、関連技術におけるリモートコントロール方法の操作ステップが煩わしい問題を解決して、ユーザーが、ウェアラブルデバイスによってユーザー動作を行うことだけによって、家庭用電子機器をリモートコントロールすることができる効果を達成した。
【０１７６】
図１４は、他の１つの例示的な実施例に係るリモートコントロール装置のブロック図である。該リモートコントロール装置がソフトウェア、ハードウェア又は両者の組み合わせによってウェアラブルデバイスの一部又は全部として実現できる。該リモートコントロール装置は、
ユーザー動作により生成された動作データを採集するように配置されている第２取得モジュール１３２０と、
該動作データに基づいて該動作データに対応しているコントロール指令を生成するように配置されている第２生成モジュール１３４０と、
該コントロール指令に基づいて家庭用電子機器に家庭用電子機器の動作状態をコントロールするためのリモートコントロール信号を送信するように配置されている第２コントロールモジュール１３６０と、を含むことができる。
【０１７７】
好ましくは、第２生成モジュール１３４０は、予め設定された、少なくとも１つの動作データ及び各動作データに対応しているコントロール指令が含まれる対応関係から動作データに対応しているコントロール指令を検索するように配置されている。
【０１７８】
好ましくは、該装置は、
動作データ及び動作データに対応しているコントロール指令を設置するためのコントロール指令設置操作を受信するように配置されている第２受信モジュール１３２２と、
動作データ及び動作データに対応しているコントロール指令に基づいて対応関係を生成又は更新するように配置されている第２更新モジュール１３２４と、をさらに含む。
【０１７９】
好ましくは、
第２コントロールモジュール１３６０が、コントロール指令を、コントロール指令に基づいて家庭用電子機器をコントロールするためのリモートコントロール信号を生成した後、リモートコントロール信号を家庭用電子機器に送信するためのユーザーデバイスに送信するように配置され、又は、
第２コントロールモジュール１３６０が、コントロール指令に基づいてワイファイネットワークＷＩＦＩ方式のリモートコントロール信号を生成し、ＷＩＦＩネットワークによって家庭用電子機器にリモートコントロール信号を送信するように配置され、又は、
第２コントロールモジュール１３６０が、コントロール指令に基づいて赤外線方式のリモートコントロール信号を生成し、赤外線技術によって家庭用電子機器にリモートコントロール信号を送信するように配置され、又は、
第２コントロールモジュール１３６０が、コントロール指令に基づいてブルートゥース方式のリモートコントロール信号を生成し、ブルートゥース技術によって家庭用電子機器にリモートコントロール信号を送信するように配置されている。
【０１８０】
好ましくは、該装置は、
家庭用電子機器とバインディング関係が予め確立されたように配置されている第２バインディングモジュール１３２６をさらに含む。
【０１８１】
上記のように、本実施例に提供されたリモートコントロール装置は、ウェアラブルデバイスがユーザー動作により生成された動作データを採集し、その後、該動作データに対応しているコントロール指令に基づいて家庭用電子機器をリモートコントロールすることにより、関連技術におけるリモートコントロール方法の操作ステップが煩わしい問題を解決して、ユーザーが、ウェアラブルデバイスによってユーザー動作を行うことだけによって、何れかのリモートコントロール用押しボタンを押す必要がなく、家庭用電子機器をリモートコントロールすることができる効果を達成した。
【０１８２】
本実施例に提供されたリモートコントロール装置は、ユーザーにて動作データとコントロール指令との間の対応関係を自己定義することにより、ユーザーが自己定義されたユーザー動作によって家庭用電子機器をリモートコントロールすることができる効果を実現した。
【０１８３】
図１５は、１つの例示的な実施例に係るリモートコントロール装置のブロック図である。該リモートコントロール装置がソフトウェア、ハードウェア又は両者の組み合わせによって家庭用電子機器の一部又は全部として実現できる。該リモートコントロール装置は、
ウェアラブルデバイスが採集したユーザー動作により生成された動作データを取得するように配置されている第３取得モジュール１５２０と、
該動作データに基づいて該動作データに対応しているコントロール指令を生成するように配置されている第３生成モジュール１５４０と、
コントロール指令を実行するように配置されている第３コントロールモジュール１５６０と、を含むことができる。
【０１８４】
上記のように、本実施例に提供されたリモートコントロール装置は、ウェアラブルデバイスがユーザー動作により生成された動作データを採集し、その後、家庭用電子機器が該動作データに基づいて対応しているコントロール指令を生成するとともに実行することにより、関連技術におけるリモートコントロール方法の操作ステップが煩わしい問題を解決して、ユーザーが、ウェアラブルデバイスによってユーザー動作を行うことだけによって、何れかのリモートコントロール押しボタンを押す必要がなく、家庭用電子機器をリモートコントロールすることができる効果を達成した。
【０１８５】
図１６は、１つの例示的な実施例に係るリモートコントロール装置のブロック図である。該リモートコントロール装置がソフトウェア、ハードウェア又は両者の組み合わせによって家庭用電子機器の一部又は全部として実現できる。該リモートコントロール装置は、
ウェアラブルデバイスが採集したユーザー動作により生成された動作データを取得するように配置されている第３取得モジュール１５２０と、
該動作データに基づいて該動作データに対応しているコントロール指令を生成するように配置されている第３生成モジュール１５４０と、
コントロール指令を実行するように配置されている第３コントロールモジュール１５６０と、を含むことができる。
【０１８６】
好ましくは、第３生成モジュール１５４０が、予め設定された、少なくとも１つの動作データ及び各動作データに対応しているコントロール指令が含まれる対応関係から動作データに対応しているコントロール指令を検索するように配置されている。
【０１８７】
好ましくは、該装置は、
動作データ及び動作データに対応しているコントロール指令を設置するためのコントロール指令設置操作を受信するように配置されている第３受信モジュール１５１２と、
該動作データ及び該動作データに対応しているコントロール指令に基づいて該対応関係を生成又は更新するように配置されている第３更新モジュール１５１４と、をさらに含む。
【０１８８】
好ましくは、第３取得モジュール１５２０が、ウェアラブルデバイスからユーザーデバイスに送信される動作データをユーザーデバイスから受信するように配置され、又は、
第３取得モジュール１５２０が、ワイファイＷＩＦＩによってウェアラブルデバイスに採集された動作データを取得するように配置され、又は、
第３取得モジュール１５２０が、赤外線技術によってウェアラブルデバイスに採集された動作データを取得するように配置され、又は、
第３取得モジュール１５２０が、ブルートゥース技術によってウェアラブルデバイスに採集された動作データを取得するように配置されている。
【０１８９】
好ましくは、該装置は、
ウェアラブルデバイスとバインディング関係が予め確立されたように配置されている第３バインディングモジュール１５１６をさらに含む。
【０１９０】
上記のように、本実施例に提供されたリモートコントロール装置は、ウェアラブルデバイスがユーザー動作により生成された動作データを採集し、その後、家庭用電子機器が該動作データに基づいて対応しているコントロール指令を生成するとともに実行することにより、関連技術におけるリモートコントロール方法の操作ステップが煩わしい問題を解決して、ユーザーが、ウェアラブルデバイスによってユーザー動作を行うことだけによって、何れかのリモートコントロール押しボタンを押す必要がなく、家庭用電子機器をリモートコントロールすることができる効果を達成した。
【０１９１】
本実施例に提供されたリモートコントロール装置は、ユーザーにて動作データとコントロール指令との間の対応関係を自己定義することにより、ユーザーが自己定義されたユーザー動作によって家庭用電子機器をリモートコントロールすることができる効果も実現した。
【０１９２】
上記実施例における装置に関し、そのうちの各モジュールが操作を実行する具体的な形態は、該方法に関する実施例において既に詳細に説明したので、ここで詳細に説明しない。
【０１９３】
図１７は、１つの例示的な実施例に係る健康データ表示のための装置１７００のブロック図である。例えば、装置１７００は、例えば、スマートブレスレット、スマートウォッチなどのようなウェアラブルデバイスであってもよい。
【０１９４】
図１７を参照すると、装置１７００は、プロセスアセンブリ１７０１、メモリ１７０２、無線通信アセンブリ１７０３、及びセンサアセンブリ１７０４のような１つ或いは複数のアセンブリを含んでもよい。
【０１９５】
プロセスアセンブリ１７０１は、一般的に、装置１７００の全体の操作を制御するものであり、例えば、ユーザーの健康データの採集、健康データの送信、サーバーへの健康データのアップロード等と関連する操作を制御する。プロセスアセンブリ１７０１は、１つ以上のプロセッサ１７１７を含み、これらによって指令を実行することにより、上記の方法の全部、或は一部のステップを実現するようにしてもよい。なお、プロセスアセンブリ１７０１は、１つ以上のモジュールを含んでプロセスアセンブリ１７０１と他のアセンブリの間のインタラクションを容易にしてもよい。例えば、プロセスアセンブリ１７０１は、無線通信モジュールを含んで無線通信アセンブリ１７０３とプロセスアセンブリ１７０１の間のインタラクションを容易にしてもよい。
【０１９６】
メモリ１７０２は、各種類のデータを記憶することにより装置１７００の動作を支援するように構成される。これらのデータの例は、装置１７００において操作されるいずれのアプリケーションプログラム又は方法の指令、健康データ、タイムデータ、位置データ、手振り等を含む。メモリ１７０２は、いずれかの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｏｒｙ）、磁気メモリ、フラッシュメモリ、磁気ディスク、或いは光ディスクである。
【０１９７】
無線通信アセンブリ１７０３は、装置１７００と他の機器との間に無線方式の通信を提供する。装置１７００は、ＷｉＦｉ、ブルートゥース、赤外線のような、通信規格に基づいた無線ネットワークに接続されてもよいが、これらに限らない。1つの例示的な実施例において、無線通信アセンブリ１７０３が、ウェアラブルデバイスに採集された健康データを家庭用メディア放送機器に送信して、家庭用メディア放送機器がこれを表示する。１つの例示的な実施例において、上記無線通信アセンブリ１７０３は、近距離無線通信（ＮＦＣ）モジュールをさらに含むことにより、近距離通信をプッシュする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ）技術、及び他の技術に基づいて実現できる。
【０１９８】
センサアセンブリ１７０４は、装置１７００に各方面の状態に対する評価を提供するとともにユーザーの健康データを採集するための１つ以上のセンサを含む。例えば、センサアセンブリ１７０４は、装置１７００のＯＮ／ＯＦＦ状態、アセンブリの相対的な位置決めを検出できる。また、センサアセンブリ１７０４は、装置１７００、或いは装置１７００の１つのアセンブリの位置変更、ユーザと装置１７００とが接触しているか否か、装置１７００の方位、又は加速／減速、装置１７００の温度の変化を検出できる。センサアセンブリ１７０４は、何れの物理的接触がない状態にて付近の物体の存在を検出するための近接センサを含んでもよい。センサアセンブリ１７０４がユーザーの健康データを採集するための健康データセンサを含んでもよい。センサアセンブリ１７０４がユーザーの手振りを採集するための手振りセンサを含んでもよい。一部の実施例において、該センサアセンブリ１７０４は、加速度センサ、ジャイロセンサ、磁気センサ、圧力センサ、温度センサ、歩数計、心拍センサ、デジタルコンパスセンサなどのセンサをさらに含んでもよい。
【０１９９】
例示的な実施例において、装置１７００は、１つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記のウェアラブルデバイス側のリモートコントロール方法を実行する。
【０２００】
例示的な実施例において、指令を含むコンピュータ読取り可能な非一時的な記録媒体、例えば指令を含むメモリ１７０２をさらに提供し、装置１７００のプロセッサ１７１７により上記指令を実行して上記方法を実現する。例えば、上記コンピュータ読取り可能な非一時的な記録媒体は、ＲＯＭ、ＲＡＭ、ＣＤ−ＲＯＭ、磁気テープ、フロッピー（登録商標）ディスク、光データ記憶デバイス等である。
【０２０１】
コンピュータ読取り可能な非一時的な記録媒体は、記録媒体における指令が装置１７００のプロセッサにより実行されるとき、装置１７００が上記ウェアラブルデバイス側のリモートコントロール方法を実行できるようになる。
【０２０２】
図１８は、１つの例示的な実施例に係るリモートコントロール装置１８００のブロック図である。例えば、装置１８００が、例えば、携帯電話、コンピュータ、タブレットデバイス、ルーター、ＰＤＡなどのユーザーデバイスであっても良い。
【０２０３】
図１８を参照すると、装置１８００は、プロセスアセンブリ１８０２、メモリ１８０４、電源アセンブリ１８０６、マルチメディアアセンブリ１８０８、オーディオアセンブリ１８１０、入出力（Ｉ／Ｏ）インタフェース１８１２、センサアセンブリ１８１４、及び通信アセンブリ１８１６のような１つ或いは複数のアセンブリを含んでもよい。
【０２０４】
プロセスアセンブリ１８０２は、一般的には装置１８００の全体の動作を制御するものであり、例えば、表示、電話呼び出し、データ通信、カメラ操作、及び記録操作と関連する操作を制御する。プロセスアセンブリ１８０２は、１つ以上のプロセッサ１８２０を含み、これらによって指令を実行することにより、上記の方法の全部、或は一部のステップを実現するようにしてもよい。なお、プロセスアセンブリ１８０２は、１つ以上のモジュールを含んでプロセスアセンブリ１８０２と他のアセンブリの間のインタラクションを容易にしてもよい。例えば、プロセスアセンブリ１８０２は、マルチメディアモジュールを含んでマルチメディアアセンブリ１８０８とプロセスアセンブリ１８０２の間のインタラクションを容易にしてもよい。
【０２０５】
メモリ１８０４は、各種類のデータを記憶することにより装置１８００の動作を支援するように構成される。これらのデータの例は、装置１８００において操作されるいずれのアプリケーションプログラム又は方法の指令、連絡対象データ、電話帳データ、メッセージ、画像、ビデオ等を含む。メモリ１８０４は、いずれかの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｏｒｙ）、磁気メモリ、フラッシュメモリ、磁気ディスク、或いは光ディスクである。
【０２０６】
電源アセンブリ１８０６は、装置１８００の各アセンブリに電力を供給する。電源アセンブリ１８０６は、電源管理システム、１つ或いは複数の電源、及び装置１８００のための電力の生成、管理、及び割り当てに関連する他のアセンブリを含んでもよい。
【０２０７】
マルチメディアアセンブリ１８０８は、上記装置１８００とユーザの間に１つの出力インタフェースを提供するスクリーンを含む。部分実施例において、スクリーンは、液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは、１つ以上のタッチセンサを含み、タッチ、スライド、及びタッチパネル上のジェスチャを検出することができる。上記タッチセンサは、タッチ、或はスライド動作の境界だけでなく、上記タッチ、或はスライド操作に係る継続時間、及び圧力も検出できる。部分実施例において、マルチメディアアセンブリ１８０８は、１つのフロントカメラ、及び／又はリアカメラを含む。装置１８００が、例えば撮影モード、或はビデオモード等の操作モードにある場合、フロントカメラ、及び／又はリアカメラは外部からマルチメディアデータを受信できる。フロントカメラとリアカメラのそれぞれは、１つの固定型の光レンズ系、或は可変焦点距離と光学ズーム機能を有するものであってもよい。
【０２０８】
オーディオアセンブリ１８１０は、オーディオ信号を入出力するように構成される。例えば、オーディオアセンブリ１８１０は、１つのマイク（ＭＩＣ）を含み、装置１８００が、例えば呼出しモード、記録モード、及び音声認識モード等の操作モードにある場合、マイクは外部のオーディオ信号を受信することができる。受信されたオーディオ信号は、さらにメモリ１８０４に記憶されたり、通信アセンブリ１８１６を介して送信されたりする。部分実施例において、オーディオアセンブリ１８１０は、オーディオ信号を出力するための１つのスピーカーをさらに含む。
【０２０９】
Ｉ／Ｏインタフェース１８１２は、プロセスアセンブリ１８０２と周辺インタフェースモジュールの間にインタフェースを提供するものであり、上記周辺インタフェースモジュールは、キーボード、クリックホイール、ボタン等であってもよい。これらのボタンは、ホームボタン、ボリュームボタン、起動ボタン、ロッキングボタンを含んでもよいが、これらに限定されない。
【０２１０】
センサアセンブリ１８１４は、装置１８００に各方面の状態に対する評価を提供するための１つ以上のセンサを含む。例えば、センサアセンブリ１８１４は、装置１８００のＯＮ／ＯＦＦ状態、装置１８００のディスプレイとキーパッドのようなアセンブリの相対的な位置決めを検出できる。また、センサアセンブリ１８１４は、装置１８００、或いは装置１８００の１つのアセンブリの位置変更、ユーザと装置１８００とが接触しているか否か、装置１８００の方位、又は加速／減速、装置１８００の温度の変化を検出できる。センサアセンブリ１８１４は、何れの物理的接触がない状態にて付近の物体の存在を検出するための近接センサを含んでもよい。センサアセンブリ１８１４は、撮影アプリケーションに適用するため、ＣＭＯＳ（Complementary Metal Oxide Semiconductor）、又はＣＣＤ（Charge-Coupled Device）画像センサのような光センサを含んでもよい。部分実施例において、当該センサアセンブリ１８１４は、加速度センサ、ジャイロスコープセンサ、磁気センサ、圧力センサ、及び温度センサをさらに含んでもよい。
【０２１１】
通信アセンブリ１８１６は、装置１８００と他の機器の間に有線、又は無線方式の通信を提供する。装置１８００は、例えばＷｉＦｉ、２Ｇ、３Ｇ、或はこれらの組み合わせのような、通信規格に基づいた無線ネットワークに接続されてもよい。１つの例示的な実施例において、通信アセンブリ１８１６は、放送チャンネルを介して外部の放送管理システムからの放送信号、又は放送に関連する情報を受信する。１つの例示的な実施例において、上記通信アセンブリ１８１６は、近距離無線通信（ＮＦＣ）モジュールをさらに含むことにより、近距離通信をプッシュする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ）技術、及び他の技術に基づいて実現できる。
【０２１２】
例示的な実施例において、装置１８００は、１つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記ユーザデバイス側のリモートコントロール方法を実行する。
【０２１３】
例示的な実施例において、指令を含むコンピュータ読取り可能な非一時的な記録媒体、例えば指令を含むメモリ１８０４をさらに提供し、装置１８００のプロセッサ１９２０により上記指令を実行して上記方法を実現する。例えば、上記コンピュータ読取り可能な非一時的な記録媒体は、ＲＯＭ、ＲＡＭ、ＣＤ−ＲＯＭ、磁気テープ、フロッピーディスク、光データ記憶デバイス等である。
【０２１４】
コンピュータ読取り可能な非一時的な記録媒体は、記録媒体における指令が装置１８００のプロセッサにより実行されるとき、装置１８００が上記ユーザデバイス側のリモートコントロール方法を実行できる。
【０２１５】
図１９は、１つの例示的な実施例に係るリモートコントロール装置１９００のブロック図である。例如、装置１９００が、例えば、スマートテレビ、エアコン、洗濯機、冷蔵庫等のような家庭用電子機器であってもよい。
【０２１６】
図１９を参照すると、装置１９００は、プロセスアセンブリ１９０２、メモリ１９０４、電源アセンブリ１９０６、マルチメディアアセンブリ１９０８、オーディオアセンブリ１９１０、入出力（Ｉ／Ｏ）インタフェース１９１２、センサアセンブリ１９１４、及び通信アセンブリ１９１６のような１つ或いは複数のアセンブリを含んでもよい。
【０２１７】
プロセスアセンブリ１９０２は、一般的には装置１９００の全体の動作を制御するものであり、例えば、表示、電話呼び出し、データ通信、カメラ操作、及び記録操作と関連する操作を制御する。プロセスアセンブリ１９０２は、１つ以上のプロセッサ１９２０を含み、これらによって指令を実行することにより、上記の方法の全部、或は一部のステップを実現するようにしてもよい。なお、プロセスアセンブリ１９０２は、１つ以上のモジュールを含んでプロセスアセンブリ１９０２と他のアセンブリの間のインタラクションを容易にしてもよい。例えば、プロセスアセンブリ１９０２は、マルチメディアモジュールを含んでマルチメディアアセンブリ１９０８とプロセスアセンブリ１９０２の間のインタラクションを容易にしてもよい。
【０２１８】
メモリ１９０４は、各種類のデータを記憶することにより装置１９００の動作を支援するように構成される。これらのデータの例は、装置１９００において操作されるいずれのアプリケーションプログラム又は方法の指令、連絡対象データ、電話帳データ、メッセージ、画像、ビデオ等を含む。メモリ１９０４は、いずれかの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｏｒｙ）、磁気メモリ、フラッシュメモリ、磁気ディスク、或いは光ディスクである。
【０２１９】
電源アセンブリ１９０６は、装置１９００の各アセンブリに電力を供給する。電源アセンブリ１９０６は、電源管理システム、１つ或いは複数の電源、及び装置１９００のための電力の生成、管理、及び割り当てに関連する他のアセンブリを含んでもよい。
【０２２０】
マルチメディアアセンブリ１９０８は、上記装置１９００とユーザの間に１つの出力インタフェースを提供するスクリーンを含む。部分実施例において、スクリーンは、液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは、１つ以上のタッチセンサを含み、タッチ、スライド、及びタッチパネル上のジェスチャを検出することができる。上記タッチセンサは、タッチ、或はスライド動作の境界だけでなく、上記タッチ、或はスライド操作に係る継続時間、及び圧力も検出できる。部分実施例において、マルチメディアアセンブリ１９０８は、１つのフロントカメラ、及び／又はリアカメラを含む。装置１９００が、例えば撮影モード、或はビデオモード等の操作モードにある場合、フロントカメラ、及び／又はリアカメラは外部からマルチメディアデータを受信できる。フロントカメラとリアカメラのそれぞれは、１つの固定型の光レンズ系、或は可変焦点距離と光学ズーム機能を有するものであってもよい。
【０２２１】
オーディオアセンブリ１９１０は、オーディオ信号を入出力するように構成される。例えば、オーディオアセンブリ１９１０は、１つのマイク（ＭＩＣ）を含み、装置１９００が、例えば呼出しモード、記録モード、及び音声認識モード等の操作モードにある場合、マイクは外部のオーディオ信号を受信することができる。受信されたオーディオ信号は、さらにメモリ１９０４に記憶されたり、通信アセンブリ１９１６を介して送信されたりする。部分実施例において、オーディオアセンブリ１９１０は、オーディオ信号を出力するための１つのスピーカーをさらに含む。
【０２２２】
Ｉ／Ｏインタフェース１９１２は、プロセスアセンブリ１９０２と周辺インタフェースモジュールの間にインタフェースを提供するものであり、上記周辺インタフェースモジュールは、キーボード、クリックホイール、ボタン等であってもよい。これらのボタンは、ホームボタン、ボリュームボタン、起動ボタン、ロッキングボタンを含んでもよいが、これらに限定されない。
【０２２３】
センサアセンブリ１９１４は、装置１９００に各方面の状態に対する評価を提供するための１つ以上のセンサを含む。例えば、センサアセンブリ１９１４は、装置１９００のＯＮ／ＯＦＦ状態、装置１９００のディスプレイとキーパッドのようなアセンブリの相対的な位置決めを検出できる。また、センサアセンブリ７１４は、装置１９００、或いは装置１９００の１つのアセンブリの位置変更、ユーザと装置１９００とが接触しているか否か、装置１９００の方位、又は加速／減速、装置１９００の温度の変化を検出できる。センサアセンブリ１９１４は、何れの物理的接触がない状態にて付近の物体の存在を検出するための近接センサを含んでもよい。センサアセンブリ１９１４は、撮影アプリケーションに適用するため、ＣＭＯＳ、又はＣＣＤ画像センサのような光センサを含んでもよい。部分実施例において、当該センサアセンブリ１９１４は、加速度センサ、ジャイロスコープセンサ、磁気センサ、圧力センサ、及び温度センサをさらに含んでもよい。
【０２２４】
通信アセンブリ１９１６は、装置１９００と他の機器の間に有線、又は無線方式の通信を提供する。装置１９００は、例えばＷｉＦｉ、２Ｇ、３Ｇ、或はこれらの組み合わせのような、通信規格に基づいた無線ネットワークに接続されてもよい。１つの例示的な実施例において、通信アセンブリ１９１６は、放送チャンネルを介して外部の放送管理システムからの放送信号、又は放送に関連する情報を受信する。１つの例示的な実施例において、上記通信アセンブリ１９１６は、近距離無線通信（ＮＦＣ）モジュールをさらに含むことにより、近距離通信をプッシュする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ）技術、及び他の技術に基づいて実現できる。
【０２２５】
例示的な実施例において、装置１９００は、１つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記家庭用電子機器側のリモートコントロール方法を実行する。
【０２２６】
例示的な実施例において、指令を含むコンピュータ読取り可能な非一時的な記録媒体、例えば指令を含むメモリ１９０４をさらに提供し、装置１９００のプロセッサ１９２０により上記指令を実行して上記方法を実現する。例えば、上記コンピュータ読取り可能な非一時的な記録媒体は、ＲＯＭ、ＲＡＭ、ＣＤ−ＲＯＭ、磁気テープ、フロッピーディスク、光データ記憶デバイス等である。
【０２２７】
コンピュータ読取り可能な非一時的な記録媒体は、記録媒体における指令が装置１９００のプロセッサにより実行されるとき、装置１９００が上記家庭用電子機器側のリモートコントロール方法を実行できる。
【０２２８】
当業者は、明細書に対する理解、及び明細書に記載された発明に対する実施を通じて、本発明の他の実施形態を容易に得ることができる。本発明は、本発明に対する任意の変形、用途、または適応的な変化を含み、このような変形、用途、または適応的な変化は、本発明の一般的な原理に従い、本発明では開示していない本技術分野の公知の知識、または通常の技術手段を含む。明細書と実施例は、ただ例示的なものであって、本発明の本当の範囲と主旨は、以下の特許請求の範囲によって示される。
【０２２９】
本発明は、上記で記述し、図面で図示した特定の構成に限定されず、その範囲を離脱しない状況で、様様な修正と変更を実現できる。本発明の範囲は、添付される特許請求の範囲のみにより限定される。
【０２３０】
本願は、出願番号が２０１５１００４７９３９．８であって、出願日が２０１５年１月２９日である中国特許出願に基づき優先権を主張し、当該中国特許出願のすべての内容を本願に援用する。
【国際調査報告】
2017513418.tif 000028
2017513418.tif 000029
2017513418.tif 000030
2017513418.tif 000031
2017513418.tif 000032
2017513418.tif 000033